(57)【要約】  ビーム障害回復（ＢＦＲ）のためのコンテンションベースランダムアクセス（ＣＢＲＡ）手順に関するシステムおよび方法が開示される。いくつかの実施形態において、無線通信システムにおけるＢＦＲのために無線デバイスにより実行される方法は、ビーム障害を検出することと、ビーム障害の検出に際してＣＢＲＡ手順を実行することであり、コンテンションベースランダムアクセス手順の理由がビーム障害回復であることと、無線デバイスに対する新サービングビームと、無線デバイスの識別情報と、の明示的および／または暗示的な指標をネットワークノードに提供することを含む、ＣＢＲＡ手順を実行することと、を含む。【選択図】図３
2021511710.tif 000002
【特許請求の範囲】
【請求項１】
無線通信システム（２００）におけるビーム障害回復のために無線デバイス（２１２）により実行される方法であって、
ビーム障害を検出すること（３０２）と、
ビーム障害の検出に際してコンテンションベースランダムアクセス手順を実行すること（３０４）であり、
前記コンテンションベースランダムアクセス手順の理由がビーム障害回復であることと、
前記無線デバイス（２１２）に対する新サービングビームと、
前記無線デバイス（２１２）の識別情報と、
の明示的および／または暗示的な指標をネットワークノード（２０２）に提供することを含む、コンテンションベースランダムアクセス手順を実行すること（３０４）と、
を含む、方法。
【請求項２】
前記コンテンションベースランダムアクセス手順を実行すること（３０４）が、
ランダムアクセスプリアンブルを前記ネットワークノード（２０２）に送信すること（３０４Ａ）と、
前記ネットワークノード（２０２）からランダムアクセス応答を受信すること（３０４Ｂ）と、
前記無線デバイス（２１２）の前記識別情報と前記無線デバイス（２１２）に対する前記新サービングビームを示す情報とを含むメッセージを前記ネットワークノード（２０２）に送信すること（３０４Ｃ）であり、前記メッセージが、前記コンテンションベースランダムアクセス手順の前記理由がビーム障害回復であるとの暗示的な指標を提供する、メッセージを前記ネットワークノード（２０２）に送信すること（３０４Ｃ）と、
を含む、請求項１に記載の方法。
【請求項３】
前記無線デバイス（２１２）に対する前記新サービングビームを示す前記情報が、
前記新サービングビームを示すインデックス、
前記新サービングビームと関連付けられた同期信号ブロック（ＳＳＢ）もしくはＳＳＢグループインデックス、
前記新サービングビームと関連付けられたチャネル状態情報参照シンボル（ＣＳＩ−ＲＳ）設定インデックス、ならびに／または
前記新サービングビームと関連付けられた伝送設定インジケータ（ＴＣＩ）状態インデックス、
を含む、請求項２に記載の方法。
【請求項４】
前記メッセージが、前記無線デバイス（２１２）に対する前記新サービングビームを示す前記情報を含む新たな媒体アクセス制御（ＭＡＣ）制御エレメント（ＣＥ）を含む、請求項２または３に記載の方法。
【請求項５】
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（２１２）に対する前記新サービングビームを示す前記情報の伝達に用いられる、請求項２または３に記載の方法。
【請求項６】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩを含むＣ−ＲＮＴＩ  ＭＡＣ  ＣＥを含む、請求項２から５のいずれか一項に記載の方法。
【請求項７】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩと前記無線デバイス（２１２）に対する前記新サービングビームを示す前記情報とを含む拡張Ｃ−ＲＮＴＩ媒体アクセス制御（ＭＡＣ）制御エレメント（ＣＥ）を含む、請求項２または３に記載の方法。
【請求項８】
前記メッセージが、前記コンテンションベースランダムアクセス手順の前記理由がビーム障害回復であることを示す情報をさらに含む、請求項２から７のいずれか一項に記載の方法。
【請求項９】
前記メッセージが、ビーム障害が発生した前記無線デバイス（２１２）の旧サービングビームを示す情報をさらに含む、請求項２から８のいずれか一項に記載の方法。
【請求項１０】
前記メッセージが、
１つもしくは複数の他のビーム、
１つもしくは複数の他のビーム集合、
１つもしくは複数の他のＳＳＢ、ならびに／または
１つもしくは複数の他のＳＳＢグループ、
の無線品質測定結果をさらに含む、請求項２から９のいずれか一項に記載の方法。
【請求項１１】
前記無線デバイス（２１２）の前記識別情報が、前記無線デバイス（２１２）のセル無線ネットワーク一時識別子（Ｃ−ＲＮＴＩ）であり、前記コンテンションベースランダムアクセス手順を実行すること（３０４）が、
ランダムアクセスプリアンブルを前記ネットワークノード（２０２）に送信すること（３０４Ａ）と、
前記ネットワークノード（２０２）からランダムアクセス応答を受信すること（３０４Ｂ）と、
メッセージを前記ネットワークノード（２０２）に送信すること（３０４Ｃ）とを含み、前記メッセージが、
前記無線デバイス（２１２）の前記Ｃ−ＲＮＴＩと、
前記コンテンションベースランダムアクセス手順の前記理由がビーム障害回復であることを示す情報と、
を含むＣ−ＲＮＴＩ媒体アクセス制御（ＭＡＣ）制御エレメント（ＣＥ）を含む、請求項１に記載の方法。
【請求項１２】
前記コンテンションベースランダムアクセス手順の前記理由がビーム障害回復であることを示す前記情報が、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む、請求項１１に記載の方法。
【請求項１３】
前記コンテンションベースランダムアクセス手順を実行することが、
ビーム障害回復のための予約プリアンブルグループから選択されるランダムアクセスプリアンブルを前記ネットワークノード（２０２）に送信すること（３０４Ａ）であり、前記ランダムアクセスプリアンブルが、前記新サービングビームを示すとともに、前記コンテンションベースランダムアクセスの前記理由がビーム障害回復であることを示す、ランダムアクセスプリアンブルを前記ネットワークノード（２０２）に送信すること（３０４Ａ）と、
前記ネットワークノード（２０２）からランダムアクセス応答を受信すること（３０４Ｂ）と、
前記無線デバイス（２１２）の前記識別情報を含むメッセージを前記ネットワークノード（２０２）に送信すること（３０４Ｃ）と、
を含む、請求項１に記載の方法。
【請求項１４】
前記コンテンションベースランダムアクセス手順を実行することが、
ビーム障害回復のための予約リソースグループから選択されるランダムアクセスチャネルリソース上でランダムアクセスプリアンブルを前記ネットワークノード（２０２）に送信すること（３０４Ａ）であり、前記ランダムアクセスチャネルリソースが、前記新サービングビームを示すとともに、前記コンテンションベースランダムアクセスの前記理由がビーム障害回復であることを示す、ランダムアクセスプリアンブルを前記ネットワークノード（２０２）に送信すること（３０４Ａ）と、
前記ネットワークノード（２０２）からランダムアクセス応答を受信すること（３０４Ｂ）と、
前記無線デバイス（２１２）の前記識別情報を含むメッセージを前記ネットワークノード（２０２）に送信すること（３０４Ｃ）と、
を含む、請求項１に記載の方法。
【請求項１５】
前記コンテンションベースランダムアクセス手順を実行することが、
ランダムアクセスプリアンブルを前記ネットワークノード（２０２）に送信すること（３０４Ａ）と、
前記ネットワークノード（２０２）からランダムアクセス応答を受信すること（３０４Ｂ）と、
前記無線デバイス（２１２）に対する前記新サービングビームを示す情報を含む無線リソース制御（ＲＲＣ）メッセージを含むメッセージを前記ネットワークノード（２０２）に送信すること（３０４Ｃ）と、
を含む、請求項１に記載の方法。
【請求項１６】
前記ＲＲＣメッセージが、前記コンテンションベースランダムアクセス手順の前記理由がビーム障害回復であるとの指標をさらに含む、請求項１５に記載の方法。
【請求項１７】
前記無線デバイス（２１２）の前記識別情報が、前記無線デバイス（２１２）のセル無線ネットワーク一時識別子（Ｃ−ＲＮＴＩ）であり、前記メッセージが、前記ＲＲＣメッセージと、前記無線デバイス（２１２）の前記Ｃ−ＲＮＴＩを含むＣ−ＲＮＴＩ媒体アクセス制御（ＭＡＣ）制御エレメント（ＣＥ）とを含む、請求項１５または１６に記載の方法。
【請求項１８】
前記ＲＲＣメッセージが、前記無線デバイス（２１２）の旧サービングビームを示す情報をさらに含む、請求項１５から１７のいずれか一項に記載の方法。
【請求項１９】
前記ＲＲＣメッセージが、１つもしくは複数の他のビーム、ビーム集合、同期信号ブロック（ＳＳＢ）、ならびに／またはＳＳＢグループの無線品質測定結果をさらに含む、請求項１５から１８のいずれか一項に記載の方法。
【請求項２０】
無線通信システム（２００）におけるビーム障害回復のための無線デバイス（７００）であって、
ビーム障害を検出することと、
ビーム障害の検出に際してコンテンションベースランダムアクセス手順を実行することであり、
前記コンテンションベースランダムアクセス手順の理由がビーム障害回復であることと、
前記無線デバイス（７００）に対する新サービングビームと、
前記無線デバイス（７００）の識別情報と、
の明示的および／または暗示的な指標をネットワークノード（２０２）に提供することを含む、コンテンションベースランダムアクセス手順を実行することと、
を行うように構成された、無線デバイス（７００）。
【請求項２１】
請求項２から１９のいずれか一項に記載の方法を実行するようにさらに構成された、請求項２０に記載の無線デバイス（７０）。
【請求項２２】
無線通信システム（２００）におけるビーム障害回復のための無線デバイス（７００）であって、
１つもしくは複数の送信機（７０８）ならびに１つもしくは複数の受信機（７１０）と、
前記１つもしくは複数の送信機（７０８）ならびに前記１つもしくは複数の受信機（７１０）と関連付けられた処理回路（７０２）であり、
ビーム障害を検出することと、
ビーム障害の検出に際してコンテンションベースランダムアクセス手順を実行することと、
を前記無線デバイス（７００）に行わせるように設定された、処理回路（７０２）と、
を備え、前記コンテンションベースランダムアクセス手順を実行することが、
前記コンテンションベースランダムアクセス手順の理由がビーム障害回復であることと、
前記無線デバイス（７００）に対する新サービングビームと、
前記無線デバイス（７００）の識別情報と、
の明示的および／または暗示的な指標をネットワークノード（２０２）に提供することを含む、無線デバイス（７００）。
【請求項２３】
前記処理回路（７０２）が、請求項２から１９のいずれか一項に記載の方法を前記無線デバイス（７００）に実行させるようにさらに設定された、請求項２２に記載の無線デバイス（７００）。
【請求項２４】
無線通信システム（２００）におけるビーム障害回復のために基地局（２０２）により実行される方法であって、
無線デバイス（２１２）とともに、
コンテンションベースランダムアクセス手順の理由がビーム障害回復であることと、
前記無線デバイス（２１２）に対する新サービングビームと、
前記無線デバイス（２１２）の識別情報と、
の明示的および／または暗示的な指標を前記基地局（２０２）が前記無線デバイス（２１２）から受信する前記コンテンションベースランダムアクセス手順を実行することを含む、方法。
【請求項２５】
前記コンテンションベースランダムアクセス手順を実行することが、
前記無線デバイス（２１２）からランダムアクセスプリアンブルを受信すること（３０４Ａ）と、
ランダムアクセス応答を前記無線デバイス（２１２）に送信すること（３０４Ｂ）と、
前記無線デバイス（２１２）の前記識別情報と前記無線デバイス（２１２）に対する前記新サービングビームを示す情報とを含むメッセージを前記無線デバイス（２１２）から受信すること（３０４Ｃ）であり、前記メッセージが、前記コンテンションベースランダムアクセス手順の前記理由がビーム障害回復であるとの暗示的な指標を提供する、メッセージを前記無線デバイス（２１２）から受信すること（３０４Ｃ）と、
を含む、請求項２４に記載の方法。
【請求項２６】
前記無線デバイス（２１２）に対する前記新サービングビームを示す前記情報が、
前記新サービングビームを示すインデックス、
前記新サービングビームと関連付けられた同期信号ブロック（ＳＳＢ）もしくはＳＳＢグループインデックス、
前記新サービングビームと関連付けられたチャネル状態情報参照シンボル（ＣＳＩ−ＲＳ）設定インデックス、ならびに／または
前記新サービングビームと関連付けられた伝送設定インジケータ（ＴＣＩ）状態インデックス、
を含む、請求項２５に記載の方法。
【請求項２７】
前記メッセージが、前記無線デバイス（２１２）に対する前記新サービングビームを示す前記情報を含む新たな媒体アクセス制御（ＭＡＣ）制御エレメント（ＣＥ）を含む、請求項２５または２６に記載の方法。
【請求項２８】
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（２１２）に対する前記新サービングビームを示す前記情報の伝達に用いられる、請求項２５または２６に記載の方法。
【請求項２９】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩを含むＣ−ＲＮＴＩ  ＭＡＣ  ＣＥを含む、請求項２５から２８のいずれか一項に記載の方法。
【請求項３０】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩと前記無線デバイス（２１２）に対する前記新サービングビームを示す前記情報とを含む拡張Ｃ−ＲＮＴＩ媒体アクセス制御（ＭＡＣ）制御エレメント（ＣＥ）を含む、請求項２５または２６に記載の方法。
【請求項３１】
前記メッセージが、前記コンテンションベースランダムアクセス手順の前記理由がビーム障害回復であることを示す情報をさらに含む、請求項２５から３０のいずれか一項に記載の方法。
【請求項３２】
前記メッセージが、前記無線デバイス（２１２）の旧サービングビームを示す情報をさらに含む、請求項２５から３１のいずれか一項に記載の方法。
【請求項３３】
前記メッセージが、
１つもしくは複数の他のビーム、
１つもしくは複数の他のビーム集合、
１つもしくは複数の他のＳＳＢ、ならびに／または
１つもしくは複数の他のＳＳＢグループ、
の無線品質測定結果をさらに含む、請求項２５から３２のいずれか一項に記載の方法。
【請求項３４】
前記無線デバイス（２１２）の前記識別情報が、前記無線デバイス（２１２）のセル無線ネットワーク一時識別子（Ｃ−ＲＮＴＩ）であり、前記コンテンションベースランダムアクセス手順を実行することが、
前記無線デバイス（２１２）からランダムアクセスプリアンブルを受信すること（３０４Ａ）と、
ランダムアクセス応答を前記無線デバイス（２１２）に送信すること（３０４Ｂ）と、
メッセージを前記無線デバイス（２１２）から受信すること（３０４Ｃ）とを含み、前記メッセージが、
前記無線デバイス（２１２）の前記Ｃ−ＲＮＴＩと、
前記コンテンションベースランダムアクセス手順の前記理由がビーム障害回復であることを示す情報と、
を含むＣ−ＲＮＴＩ媒体アクセス制御（ＭＡＣ）制御エレメント（ＣＥ）を含む、請求項２４に記載の方法。
【請求項３５】
前記コンテンションベースランダムアクセス手順の前記理由がビーム障害回復であることを示す前記情報が、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む、請求項３４に記載の方法。
【請求項３６】
前記コンテンションベースランダムアクセス手順を実行することが、
ビーム障害回復のための予約プリアンブルグループから選択されるランダムアクセスプリアンブルを前記無線デバイス（２１２）から受信すること（３０４Ａ）であり、前記ランダムアクセスプリアンブルが、前記新サービングビームを示すとともに、前記コンテンションベースランダムアクセスの前記理由がビーム障害回復であることを示す、ランダムアクセスプリアンブルを前記無線デバイス（２１２）から受信すること（３０４Ａ）と、
ランダムアクセス応答を前記無線デバイス（２１２）に送信すること（３０４Ｂ）と、
前記無線デバイス（２１２）の前記識別情報を含むメッセージを前記無線デバイス（２１２）から受信すること（３０４Ｃ）と、
を含む、請求項２４に記載の方法。
【請求項３７】
前記コンテンションベースランダムアクセス手順を実行することが、
ビーム障害回復のための予約リソースグループから選択されるランダムアクセスチャネルリソース上でランダムアクセスプリアンブルを前記無線デバイス（２１２）から受信すること（３０４Ａ）であり、前記ランダムアクセスチャネルリソースが、前記新サービングビームを示すとともに、前記コンテンションベースランダムアクセスの前記理由がビーム障害回復であることを示す、ランダムアクセスプリアンブルを前記無線デバイス（２１２）から受信すること（３０４Ａ）と、
ランダムアクセス応答を前記無線デバイス（２１２）に送信すること（３０４Ｂ）と、
前記無線デバイス（２１２）の前記識別情報を含むメッセージを前記無線デバイス（２１２）から受信すること（３０４Ｃ）と、
を含む、請求項２４に記載の方法。
【請求項３８】
前記コンテンションベースランダムアクセス手順を実行することが、
前記無線デバイス（２１２）からランダムアクセスプリアンブルを受信すること（３０４Ａ）と、
前記無線デバイス（２１２）にランダムアクセス応答を送信すること（３０４Ｂ）と、
前記無線デバイス（２１２）に対する前記新サービングビームを示す情報を含む無線リソース制御（ＲＲＣ）メッセージを含むメッセージを前記無線デバイス（２１２）から受信すること（３０４Ｃ）と、
を含む、請求項２４に記載の方法。
【請求項３９】
前記ＲＲＣメッセージが、前記コンテンションベースランダムアクセス手順の前記理由がビーム障害回復であるとの指標をさらに含む、請求項３８に記載の方法。
【請求項４０】
前記無線デバイス（２１２）の前記識別情報が、前記無線デバイス（２１２）のセル無線ネットワーク一時識別子（Ｃ−ＲＮＴＩ）であり、前記メッセージが、前記ＲＲＣメッセージと、前記無線デバイス（２１２）の前記Ｃ−ＲＮＴＩを含むＣ−ＲＮＴＩ媒体アクセス制御（ＭＡＣ）制御エレメント（ＣＥ）とを含む、請求項３８または３９に記載の方法。
【請求項４１】
前記ＲＲＣメッセージが、前記無線デバイス（２１２）の旧サービングビームを示す情報をさらに含む、請求項３８に記載の方法。
【請求項４２】
前記ＲＲＣメッセージが、１つもしくは複数の他のビーム、ビーム集合、同期信号ブロック（ＳＳＢ）、ならびに／またはＳＳＢグループの無線品質測定結果をさらに含む、請求項３８から４１のいずれか一項に記載の方法。
【請求項４３】
前記明示的および／または暗示的な指標に基づいて、前記コンテンションベースランダムアクセス手順がビーム障害回復のために実行されているものと判定することと、
前記コンテンションベースランダムアクセス手順がビーム障害回復のために実行されているとの判定に際して、ＲＲＣ接続再確立手順の開始を控えることと、
をさらに含む、請求項２４から４２のいずれか一項に記載の方法。
【請求項４４】
無線通信システム（２００）におけるビーム障害回復のための基地局（４００）であって、
無線デバイス（２１２）とともに、
コンテンションベースランダムアクセス手順の理由がビーム障害回復であることと、
前記無線デバイス（２１２）に対する新サービングビームと、
前記無線デバイス（２１２）の識別情報と、
の明示的および／または暗示的な指標を前記基地局（４００）が前記無線デバイス（２１２）から受信する前記コンテンションベースランダムアクセス手順を実行するように構成された、基地局（４００）。
【請求項４５】
請求項２４から４３のいずれか一項に記載の方法を実行するようにさらに構成された、請求項４４に記載の基地局（４００）。
【請求項４６】
無線通信システム（２００）におけるビーム障害回復のための基地局（４００）であって、
無線デバイス（２１２）とともに、
コンテンションベースランダムアクセス手順の理由がビーム障害回復であることと、
前記無線デバイス（２１２）に対する新サービングビームと、
前記無線デバイス（２１２）の識別情報と、
の明示的および／または暗示的な指標を前記基地局（４００）が前記無線デバイス（２１２）から受信する前記コンテンションベースランダムアクセス手順を前記基地局（４００）に実行させるように設定された処理回路（４０４、５０４）を備えた、基地局（４００）。
【請求項４７】
前記処理回路（４０４、５０４）が、請求項２４から４３のいずれか一項に記載の方法を前記基地局（４００）に実行させるようにさらに設定された、請求項４６に記載の基地局（４００）。
【発明の詳細な説明】
【技術分野】
【０００１】
関連出願
本願は、２０１８年１月１１日に出願された国際特許出願第ＰＣＴ／ＣＮ２０１８／０７２２０５号の利益を主張するものであり、その開示全体を本明細書に援用する。
【０００２】
本開示は、たとえば第３世代パートナーシッププロジェクト（３ＧＰＰ）の新無線（ＮＲ）システム等の無線通信システムにおけるビーム障害回復（ＢＦＲ）に関し、特に、ＢＦＲのためのコンテンションベースランダムアクセスに関する。
【背景技術】
【０００３】
ランダムアクセス（ＲＡ）は、媒体アクセス制御（ＭＡＣ）プロトコルの主要な機能である。ビーム障害回復（ＢＦＲ）ではＲＡを使用するが、この使用事例で上手く作用するには改善が必要である。ユーザ機器（ＵＥ）の挙動は、複数の同期信号ブロック（ＳＳＢ）が利用可能な場合に改善可能である。
【０００４】
第３世代パートナーシッププロジェクト（３ＧＰＰ）における発展型の第５世代（５Ｇ）規格（新無線（ＮＲ）と称する）は、１ギガヘルツ（ＧＨｚ）未満から１００ＧＨｚまでの広範な周波数において動作することを目的としている。このような周波数範囲において、ＮＲにおけるＲＡ手順は、高周波キャリアにおける潜在的な伝搬損失を抑えるために改善する必要がある。
【０００５】
ＮＲにおいては、ビーム障害からの迅速な回復を可能にするため、ＢＦＲが用いられる。ビーム障害は、たとえばダウンリンクビームの突発的な遮断または非効率的なビーム管理手順等、さまざまな理由で発生し得る。
【０００６】
ＢＦＲ手順は、複数のステップから成る。第１のステップにおいて、（仮想的な）物理ダウンリンク制御チャネル（ＰＤＣＣＨ）のブロック誤り率（ＢＬＥＲ）が一定の時間にわたって閾値を上回る場合は、レイヤ１（Ｌ１）においてビーム障害検出が行われる。
【０００７】
第２のステップにおいては、チャネル状態情報参照シンボル（ＣＳＩ−ＲＳ）上のＬ１参照信号受信電力（ＲＳＲＰ）に関する閾値を上回るＣＳＩ−ＲＳ等のビーム識別参照シンボル（ＲＳ）を測定することによって、新候補ビームが識別される。
【０００８】
第３のステップにおいては、レイヤ２（Ｌ２）に候補ビームの集合が与えられ、ＢＦＲのトリガによってＲＡ手順が開始となる。通常は、これによってコンテンションフリーランダムアクセス（ＣＦＲＡ）手順がトリガされ、ＢＦＲ専用で選択ビームを示す物理ランダムアクセスチャネル（ＰＲＡＣＨ）リソース上で送信される専用プリアンブルをＵＥが使用する。これらのＰＲＡＣＨリソースは、特定のＵＥに専用のものではないが、ＢＦＲのためのＣＦＲＡを実行するすべてのＵＥに共通である（初期アクセスの異なるＳＳＢ専用のＰＲＡＣＨリソースに類似する）。そこで、ｇＮＢ（すなわち、ＮＲ基地局）は、専用プリアンブルおよび専用ＰＲＡＣＨリソースによって、プリアンブルを送信したＵＥ、送信の理由、およびそれが示す新サービングビームを断定することができる。ＵＥがＢＦＲのための専用プリアンブルを有さない場合は、コンテンションベースランダムアクセス（ＣＢＲＡ）の使用が代わりに認められている。ただし、ＢＦＲのためのＣＢＲＡの実行方法の詳細は存在しない。
【０００９】
最後のステップにおいて、ｇＮＢは、ＵＥのセル無線ネットワーク一時識別子（Ｃ−ＲＮＴＩ）に宛てて、ＰＤＣＣＨ上でＢＦＲに対する応答を送信する。
【００１０】
ＮＲの場合は、ＲＡチャネル（ＲＡＣＨ）オケージョン（ＲＯ）当たりのＰＲＡＣＨプリアンブル数が６４以下と認められている。
【００１１】
ＮＲにおいては、ＢＦＲ手順に対してＣＦＲＡおよびＣＢＲＡの両者が可能であるものと認められている。ＣＦＲＡの場合は、ＭＡＣ仕様（３ＧＰＰ  技術仕様書（ＴＳ）３８．３２１  Ｖ１５．０．０）によって主な手順が議論および捕捉されているが、ＢＦＲのためのＣＢＲＡに関するＭＡＣ詳細は、依然として不十分である。
【発明の概要】
【００１２】
ビーム障害回復（ＢＦＲ）のためのコンテンションベースランダムアクセス（ＣＢＲＡ）手順に関するシステムおよび方法が開示される。いくつかの実施形態において、無線通信システムにおけるＢＦＲのために無線デバイスにより実行される方法は、ビーム障害を検出することと、ビーム障害の検出に際してＣＢＲＡ手順を実行することと、を含む。ＣＢＲＡ手順を実行することは、コンテンションベースランダムアクセス手順の理由がビーム障害回復であることと、無線デバイスに対する新サービングビームと、無線デバイスの識別情報と、の明示的および／または暗示的な指標をネットワークノードに提供することを含む。
【００１３】
いくつかの実施形態において、コンテンションベースランダムアクセス手順を実行することは、ランダムアクセスプリアンブルをネットワークノードに送信することと、ネットワークノードからランダムアクセス応答を受信することと、無線デバイスの識別情報および無線デバイスに対する新サービングビームを示す情報を含むメッセージをネットワークノードに送信することと、を含む。メッセージは、コンテンションベースランダムアクセス手順の理由がビーム障害回復であるとの暗示的な指標を提供する。さらに、いくつかの実施形態において、無線デバイスに対する新サービングビームを示す情報は、新サービングビームを示すインデックス、新サービングビームと関連付けられた同期信号ブロック（ＳＳＢ）もしくはＳＳＢグループインデックス、新サービングビームと関連付けられたチャネル状態情報参照シンボル（ＣＳＩ−ＲＳ）設定インデックス、ならびに／または新サービングビームと関連付けられた伝送設定インジケータ（ＴＣＩ）状態インデックス、を含む。
【００１４】
いくつかの実施形態において、メッセージは、無線デバイスに対する新サービングビームを示す情報を含む新たな媒体アクセス制御（ＭＡＣ）制御エレメント（ＣＥ）を含む。他のいくつかの実施形態において、メッセージは、既存のＭＡＣ  ＣＥを含み、既存のＭＡＣ  ＣＥにおける１つまたは複数の未使用ビットが、無線デバイスに対する新サービングビームを示す情報の伝達に用いられる。
【００１５】
いくつかの実施形態において、無線デバイスの識別情報は、無線デバイスのセル無線ネットワーク一時識別子（Ｃ−ＲＮＴＩ）であり、メッセージは、無線デバイスのＣ−ＲＮＴＩを含むＣ−ＲＮＴＩ  ＭＡＣ  ＣＥを含む。
【００１６】
いくつかの実施形態において、無線デバイスの識別情報は、無線デバイスのＣ−ＲＮＴＩであり、メッセージは、無線デバイスのＣ−ＲＮＴＩおよび無線デバイスに対する新サービングビームを示す情報を含む拡張Ｃ−ＲＮＴＩ  ＭＡＣ  ＣＥを含む。
【００１７】
いくつかの実施形態において、メッセージは、コンテンションベースランダムアクセス手順の理由がビーム障害回復であることを示す情報をさらに含む。
【００１８】
いくつかの実施形態において、メッセージは、ビーム障害が発生した無線デバイスの旧サービングビームを示す情報をさらに含む。
【００１９】
いくつかの実施形態において、メッセージは、１つもしくは複数の他のビーム、１つもしくは複数の他のビーム集合、１つもしくは複数の他のＳＳＢ、ならびに／または１つもしくは複数の他のＳＳＢグループの無線品質測定結果をさらに含む。
【００２０】
いくつかの実施形態において、無線デバイスの識別情報は、無線デバイスのＣ−ＲＮＴＩであり、コンテンションベースランダムアクセス手順を実行することは、ランダムアクセスプリアンブルをネットワークノードに送信することと、ネットワークノードからランダムアクセス応答を受信することと、無線デバイスのＣ−ＲＮＴＩとコンテンションベースランダムアクセス手順の理由がビーム障害回復であることを示す情報とを含むＣ−ＲＮＴＩ  ＭＡＣ  ＣＥを含むメッセージをネットワークノードに送信することと、を含む。いくつかの実施形態において、コンテンションベースランダムアクセス手順の理由がビーム障害回復であることを示す情報は、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む。
【００２１】
いくつかの実施形態において、コンテンションベースランダムアクセス手順を実行することは、ビーム障害回復のための予約プリアンブルグループから選択されるランダムアクセスプリアンブルをネットワークノードに送信することを含む。ランダムアクセスプリアンブルは、無線デバイスに対する新サービングビームを示すとともに、コンテンションベースランダムアクセスの理由がビーム障害回復であることを示す。コンテンションベースランダムアクセス手順を実行することは、ネットワークノードからランダムアクセス応答を受信することと、無線デバイスの識別情報を含むメッセージをネットワークノードに送信することと、をさらに含む。
【００２２】
いくつかの実施形態において、コンテンションベースランダムアクセス手順を実行することは、ビーム障害回復のための予約リソースグループから選択されるランダムアクセスチャネルリソース上でランダムアクセスプリアンブルをネットワークノードに送信することを含む。ランダムアクセスチャネルリソースは、無線デバイスに対する新サービングビームを示すとともに、コンテンションベースランダムアクセスの理由がビーム障害回復であることを示す。コンテンションベースランダムアクセス手順を実行することは、ネットワークノードからランダムアクセス応答を受信することと、無線デバイスの識別情報を含むメッセージをネットワークノードに送信することと、をさらに含む。
【００２３】
いくつかの実施形態において、コンテンションベースランダムアクセス手順を実行することは、ランダムアクセスプリアンブルをネットワークノードに送信することと、ネットワークノードからランダムアクセス応答を受信することと、無線デバイスに対する新サービングビームを示す情報を含むＲＲＣメッセージを含むメッセージをネットワークノードに送信することと、を含む。いくつかの実施形態において、ＲＲＣメッセージは、コンテンションベースランダムアクセス手順の理由がビーム障害回復であるとの指標をさらに含む。いくつかの実施形態において、無線デバイスの識別情報は、無線デバイスのＣ−ＲＮＴＩであり、メッセージは、ＲＲＣメッセージと、無線デバイスのＣ−ＲＮＴＩを含むＣ−ＲＮＴＩ  ＭＡＣ  ＣＥとを含む。いくつかの実施形態において、ＲＲＣメッセージは、無線デバイスの旧サービングビームを示す情報をさらに含む。いくつかの実施形態において、ＲＲＣメッセージは、１つもしくは複数の他のビーム、ビーム集合、ＳＳＢ、ならびに／またはＳＳＢグループの無線品質測定結果をさらに含む。
【００２４】
また、無線デバイスの実施形態が開示される。いくつかの実施形態において、無線通信システムにおけるビーム障害回復のための無線デバイスは、ビーム障害を検出することと、ビーム障害の検出に際してコンテンションベースランダムアクセス手順を実行することとを行うように構成されている。コンテンションベースランダムアクセス手順を実行することは、コンテンションベースランダムアクセス手順の理由がビーム障害回復であることと、無線デバイスに対する新サービングビームと、無線デバイスの識別情報と、の明示的および／または暗示的な指標をネットワークノードに提供することを含む。
【００２５】
他のいくつかの実施形態において、無線通信システムにおけるビーム障害回復のための無線デバイスは、１つもしくは複数の送信機と、１つもしくは複数の受信機と、１つもしくは複数の送信機ならびに１つもしくは複数の受信機と関連付けられた処理回路とを備える。処理回路は、ビーム障害を検出することと、ビーム障害の検出に際してコンテンションベースランダムアクセス手順を実行することとを無線デバイスに行わせるように設定されている。コンテンションベースランダムアクセス手順を実行することは、コンテンションベースランダムアクセス手順の理由がビーム障害回復であることと、無線デバイスに対する新サービングビームと、無線デバイスの識別情報と、の明示的および／または暗示的な指標をネットワークノードに提供することを含む。
【００２６】
また、基地局により実行される方法の実施形態が開示される。いくつかの実施形態において、無線通信システムにおけるビーム障害回復のために基地局により実行される方法は、無線デバイスとともに、コンテンションベースランダムアクセス手順の理由がビーム障害回復であることと、無線デバイスに対する新サービングビームと、無線デバイスの識別情報と、の明示的および／または暗示的な指標を基地局が無線デバイスから受信するコンテンションベースランダムアクセス手順を実行することを含む。
【００２７】
いくつかの実施形態において、コンテンションベースランダムアクセス手順を実行することは、無線デバイスからランダムアクセスプリアンブルを受信することと、ランダムアクセス応答を無線デバイスに送信することと、無線デバイスの識別情報および無線デバイスに対する新サービングビームを示す情報を含むメッセージを無線デバイスから受信することと、を含む。メッセージは、コンテンションベースランダムアクセス手順の理由がビーム障害回復であるとの暗示的な指標を提供する。さらに、いくつかの実施形態において、無線デバイスに対する新サービングビームを示す情報は、新サービングビームを示すインデックス、新サービングビームと関連付けられたＳＳＢもしくはＳＳＢグループインデックス、新サービングビームと関連付けられたＣＳＩ−ＲＳ設定インデックス、ならびに／または新サービングビームと関連付けられたＴＣＩ状態インデックスを含む。いくつかの実施形態において、メッセージは、無線デバイスに対する新サービングビームを示す情報を含む新たなＭＡＣ  ＣＥを含む。他のいくつかの実施形態において、メッセージは、既存のＭＡＣ  ＣＥを含み、既存のＭＡＣ  ＣＥにおける１つまたは複数の未使用ビットが、無線デバイスに対する新サービングビームを示す情報の伝達に用いられる。
【００２８】
いくつかの実施形態において、無線デバイスの識別情報は、無線デバイスのＣ−ＲＮＴＩであり、メッセージは、無線デバイスのＣ−ＲＮＴＩを含むＣ−ＲＮＴＩ  ＭＡＣ  ＣＥを含む。
【００２９】
いくつかの実施形態において、無線デバイスの識別情報は、無線デバイスのＣ−ＲＮＴＩであり、メッセージは、無線デバイスのＣ−ＲＮＴＩおよび無線デバイスに対する新サービングビームを示す情報を含む拡張Ｃ−ＲＮＴＩ  ＭＡＣ  ＣＥを含む。
【００３０】
いくつかの実施形態において、メッセージは、コンテンションベースランダムアクセス手順の理由がビーム障害回復であることを示す情報をさらに含む。
【００３１】
いくつかの実施形態において、メッセージは、無線デバイスの旧サービングビームを示す情報をさらに含む。
【００３２】
いくつかの実施形態において、メッセージは、１つもしくは複数の他のビーム、１つもしくは複数の他のビーム集合、１つもしくは複数の他のＳＳＢ、ならびに／または１つもしくは複数の他のＳＳＢグループの無線品質測定結果をさらに含む。
【００３３】
いくつかの実施形態において、無線デバイスの識別情報は、無線デバイスのＣ−ＲＮＴＩであり、コンテンションベースランダムアクセス手順を実行することは、無線デバイスからランダムアクセスプリアンブルを受信することと、ランダムアクセス応答を無線デバイスに送信することと、無線デバイスのＣ−ＲＮＴＩとコンテンションベースランダムアクセス手順の理由がビーム障害回復であることを示す情報とを含むＣ−ＲＮＴＩ  ＭＡＣ  ＣＥを含むメッセージを無線デバイスから受信することと、を含む。いくつかの実施形態において、コンテンションベースランダムアクセス手順の理由がビーム障害回復であることを示す情報は、ＲＲＣ接続再確立のためのＣ−ＲＮＴＩ  ＭＡＣ  ＣＥに含まれる論理チャネル識別子（ＩＤ）とは異なる論理チャネルＩＤを含む。
【００３４】
いくつかの実施形態において、コンテンションベースランダムアクセス手順を実行することは、ビーム障害回復のための予約プリアンブルグループから選択されるランダムアクセスプリアンブルを無線デバイスから受信することを含む。ランダムアクセスプリアンブルは、無線デバイスに対する新サービングビームを示すとともに、コンテンションベースランダムアクセスの理由がビーム障害回復であることを示す。コンテンションベースランダムアクセス手順を実行することは、ランダムアクセス応答を無線デバイスに送信することと、無線デバイスの識別情報を含むメッセージを無線デバイスから受信することと、をさらに含む。
【００３５】
いくつかの実施形態において、コンテンションベースランダムアクセス手順を実行することは、ビーム障害回復のための予約リソースグループから選択されるランダムアクセスチャネルリソース上でランダムアクセスプリアンブルを無線デバイスから受信することを含む。ランダムアクセスチャネルリソースは、無線デバイスに対する新サービングビームを示すとともに、コンテンションベースランダムアクセスの理由がビーム障害回復であることを示す。コンテンションベースランダムアクセス手順を実行することは、ランダムアクセス応答を無線デバイスに送信することと、無線デバイスの識別情報を含むメッセージを無線デバイスから受信することと、をさらに含む。
【００３６】
いくつかの実施形態において、コンテンションベースランダムアクセス手順を実行することは、無線デバイスからランダムアクセスプリアンブルを受信することと、ランダムアクセス応答を無線デバイスに送信することと、無線デバイスに対する新サービングビームを示す情報を含むＲＲＣメッセージを含むメッセージを無線デバイスから受信することと、を含む。いくつかの実施形態において、ＲＲＣメッセージは、コンテンションベースランダムアクセス手順の理由がビーム障害回復であるとの指標をさらに含む。いくつかの実施形態において、無線デバイスの識別情報は、無線デバイスのＣ−ＲＮＴＩであり、メッセージは、ＲＲＣメッセージと、無線デバイスのＣ−ＲＮＴＩを含むＣ−ＲＮＴＩ  ＭＡＣ  ＣＥとを含む。いくつかの実施形態において、ＲＲＣメッセージは、無線デバイスの旧サービングビームを示す情報をさらに含む。いくつかの実施形態において、ＲＲＣメッセージは、１つもしくは複数の他のビーム、ビーム集合、ＳＳＢ、ならびに／またはＳＳＢグループの無線品質測定結果をさらに含む。
【００３７】
いくつかの実施形態において、この方法は、明示的および／または暗示的な指標に基づいて、コンテンションベースランダムアクセス手順がビーム障害回復のために実行されているものと判定することと、コンテンションベースランダムアクセス手順がビーム障害回復のために実行されているとの判定に際して、ＲＲＣ接続再確立手順の開始を控えることと、をさらに含む。
【００３８】
また、基地局の実施形態が開示される。いくつかの実施形態において、無線通信システムにおけるビーム障害回復のために基地局は、無線デバイスとともに、コンテンションベースランダムアクセス手順の理由がビーム障害回復であることと、無線デバイスに対する新サービングビームと、無線デバイスの識別情報と、の明示的および／または暗示的な指標を基地局が無線デバイスから受信するコンテンションベースランダムアクセス手順を実行するように構成されている。
【００３９】
いくつかの実施形態において、無線通信システムにおけるビーム障害回復のために基地局は、無線デバイスとともに、コンテンションベースランダムアクセス手順の理由がビーム障害回復であることと、無線デバイスに対する新サービングビームと、無線デバイスの識別情報と、の明示的および／または暗示的な指標を基地局が無線デバイスから受信するコンテンションベースランダムアクセス手順を基地局に実行させるように設定された処理回路を備える。
【００４０】
本明細書に援用するとともにその一部を構成する添付の図面は、本開示の複数の態様を示すとともに、本明細書と併せて、本開示の原理を説明するのに役立つ。
【図面の簡単な説明】
【００４１】
【図１】無線リンク障害（ＲＬＦ）またはハンドオーバ（ＨＯ）障害によりトリガされる従来の無線リソース制御（ＲＲＣ）接続再確立手順を示した図である。
【図２】本開示のいくつかの実施形態に係る、セルラー通信ネットワークの一例を示した図である。
【図３】本開示の少なくともいくつかの実施形態に係る、ビーム障害回復（ＢＦＲ）のためのコンテンションベースランダムアクセス（ＣＢＲＡ）手順を示した図である。
【図４】本開示のいくつかの実施形態に係る、無線アクセスノードの概略ブロック図である。
【図５】本開示のいくつかの実施形態に係る、図４の無線アクセスノードの仮想化実施形態を示した概略ブロック図である。
【図６】本開示の他のいくつかの実施形態に係る、図４の無線アクセスノードの概略ブロック図である。
【図７】本開示のいくつかの実施形態に係る、ユーザ機器デバイス（ＵＥ）の概略ブロック図である。
【図８】本開示の他のいくつかの実施形態に係る、図７のＵＥの概略ブロック図である。
【発明を実施するための形態】
【００４２】
以下に記載の実施形態は、当業者がこれらの実施形態を実現できるようにする情報を表すとともに、これらの実施形態を実現する最良の形態を示す。添付の図面に照らして以下の説明を読むことにより、当業者は、本開示の概念を理解するとともに、本明細書においては詳細に記述していないこれら概念の用途を認識することになる。これらの概念および用途は、本開示の範囲内に含まれることが了解されるものとする。
【００４３】
無線ノード：本明細書において、「無線ノード（ｒａｄｉｏ  ｎｏｄｅ）」は、無線アクセスノードまたは無線デバイスのいずれかである。
【００４４】
無線アクセスノード：本明細書において、「無線アクセスノード（ｒａｄｉｏ  ａｃｃｅｓｓ  ｎｏｄｅ）」または「無線ネットワークノード（ｒａｄｉｏ  ｎｅｔｗｏｒｋ  ｎｏｄｅ）」は、信号の無線送信および／または受信を行うように動作するセルラー通信ネットワークの無線アクセスネットワーク（ＲＡＮ）における任意のノードである。無線アクセスノードのいくつかの例としては、基地局（たとえば、第３世代パートナーシッププロジェクト（３ＧＰＰ）第５世代（５Ｇ）新無線（ＮＲ）ネットワークにおけるＮＲ基地局（ｇＮＢ）または３ＧＰＰロングタームエボリューション（ＬＴＥ）ネットワークにおけるエンハンストもしくはエボルブドノードＢ（ｅＮＢ））、高電力またはマクロ基地局、低電力基地局（たとえば、マイクロ基地局、ピコ基地局、ホームｅＮＢ等）、および中継ノードが挙げられるが、これらに限定されない。
【００４５】
コアネットワークノード：本明細書において、「コアネットワークノード（ｃｏｒｅ  ｎｅｔｗｏｒｋ  ｎｏｄｅ）」は、コアネットワークにおける任意の種類のノードである。コアネットワークノードのいくつかの例としては、たとえばモビリティ管理エンティティ（ＭＭＥ）、パケットデータネットワークゲートウェイ（Ｐ−ＧＷ）、サービス能力公開機能（ＳＣＥＦ）等が挙げられる。
【００４６】
無線デバイス：本明細書において、「無線デバイス（ｗｉｒｅｌｅｓｓ  ｄｅｖｉｃｅ）」は、無線アクセスノードに対する信号の無線送信および／または受信によってセルラー通信ネットワークへのアクセスを有する（すなわち、セルラー通信ネットワークによりサーブされる）任意の種類のデバイスである。無線デバイスのいくつかの例としては、３ＧＰＰネットワークにおけるユーザ機器デバイス（ＵＥ）およびマシンタイプ通信（ＭＴＣ）デバイスが挙げられるが、これらに限定されない。
【００４７】
ネットワークノード：本明細書において、「ネットワークノード（ｎｅｔｗｏｒｋ  ｎｏｄｅ）」は、セルラー通信ネットワーク／システムのＲＡＮまたはコアネットワークのいずれかの部分である任意のノードである。
【００４８】
なお、本明細書における説明は、３ＧＰＰセルラー通信システムに焦点を当てているため、３ＧＰＰ専門用語または３ＧＰＰ専門用語に類似の専門用語を使用することが多い。ただし、本明細書に開示の概念は、３ＧＰＰシステムに限定されない。
【００４９】
なお、本明細書における説明においては、用語「セル（ｃｅｌｌ）」を参照する場合があるものの、特に５Ｇ  ＮＲ概念に関しては、セルの代わりにビームを使用する場合があるため、本明細書に記載の概念がセルおよびビームの両者に等しく適用可能であることに留意するのが重要である。
【００５０】
３ＧＰＰにおいては、ビーム障害回復（ＢＦＲ）に関するいくつかの合意がなされている。特に、３ＧＰＰにおいては、ＮＲに関して以下の合意がなされている。
専用物理無線アクセスチャネル（ＰＲＡＣＨ）プリアンブルを用いたＢＦＲが媒体アクセス制御（ＭＡＣ）において指定されており、物理レイヤ（すなわち、ＰＨＹレイヤまたはレイヤ１（Ｌ１と称する））からの指示によりトリガされる。ＰＨＹレイヤがビーム障害の検出を行うものと仮定されている。
ハンドオーバ（ＨＯ）事例と同様に、ビーム選択がＭＡＣにおいて指定されている。
ビームが専用「プリアンブル／リソース」に関連付けられ、閾値を上回る場合、ＵＥは、コンテンションフリーランダムアクセス（ＣＦＲＡ）を使用する。それ以外の場合、ＵＥは、ＢＦＲにコンテンションベースランダムアクセス（ＣＢＲＡ）を使用する。
【００５１】
上記合意により、ＢＦＲ手順に対してＣＦＲＡおよびＣＢＲＡの両者が可能である。ＣＦＲＡの場合は、３ＧＰＰ  ＮＲに関するＭＡＣ仕様によって主な手順が議論および捕捉されているが、ＢＦＲのためのＣＢＲＡに関するＭＡＣ詳細は、依然として不十分である。無線リソース制御（ＲＲＣ）接続状態における既存のＣＢＲＡ手順に基づいて、ＣＢＲＡの使用の場合は、ＵＥがメッセージ１においてプリアンブルをランダムに選択し、ＵＥ  ＭＡＣがランダムアクセス応答（ＲＡＲ）メッセージの受信に際して、そのセル無線ネットワーク一時識別子（Ｃ−ＲＮＴＩ）ＭＡＣ制御エレメント（ＣＥ）をメッセージ３に含める必要があり、また任意選択として、メッセージ３にはＲＲＣ接続セットアップリクエストも含み得ると予想される。
【００５２】
メッセージ３の受信に際して、ＮＲ基地局（ｇＮＢ）は、たとえば物理アップリンク制御チャネル（ＰＵＣＣＨ）スケジューリングリクエスト（ＳＲ）障害によりトリガされるランダムアクセス（ＲＡ）、無線リンク障害（ＲＬＦ）によりトリガされるＲＡ、タイミングアドバンスの更新の必要性によりトリガされるＲＡ等、他の理由でトリガされる他のＲＡイベントから、ＢＦＲによりトリガされるＲＡを識別することができない。この場合、ｇＮＢは、誤った措置を講じる可能性がある。たとえば、ｇＮＢは、ＵＥに対して、通常のＲＲＣ接続再確立手順の実行を指示する可能性がある。ＢＦＲのためのＣＢＲＡに対する通常のＲＲＣ接続再確立は、冗長であり、不要なサービス中断および付加的なユーザプレーン（ＵＰ）レイテンシにつながる可能性がある。ＲＲＣ接続再確立手順の一例を図１に示す。特に、図１は、ＲＬＦまたはＨＯ障害によりトリガされ得る通常のＲＲＣ接続再確立手順を示している。
【００５３】
ＢＦＲのための改良されたＣＢＲＡ手順を提供するシステムおよび方法が本明細書に開示される。いくつかの実施形態においては、ＲＡの理由を示すインジケータ（すなわち、その理由がＢＦＲであることを示すインジケータ）および新サービングビームがＵＥのＣ−ＲＮＴＩとともにメッセージ３（Ｍｓｇ３）に含まれる。また、いくつかの実施形態において、ＢＦＲのためのＣＢＲＡには、ＢＦＲのための専用ＰＲＡＣＨリソースが用いられるようになっていてもよい。これは、プリアンブルの受信に際してｇＮＢが既に、ＣＢＲＡの理由および指定ビームを把握することになることを意味する。いくつかの実施形態においては、ＢＦＲを行っているＵＥもｇＮＢに認識させるＣ−ＲＮＴＩがＭｓｇ３に含まれる。正常なＰＲＡＣＨリソースが用いられる場合は、ＣＢＲＡの理由に関する指標もＭｓｇ３に含めることが必要となる。
【００５４】
この点、図２は、本開示のいくつかの実施形態に係る、無線通信システム（本明細書においては、セルラー通信ネットワーク２００とも称する）の一例を示している。本明細書に記載の実施形態において、セルラー通信ネットワーク２００は、５Ｇ  ＮＲネットワークである。本例において、セルラー通信ネットワーク２００は、対応するマクロセル２０４−１および２０４−２を制御する基地局２０２−１および２０２−２（５Ｇ  ＮＲにおいては、ｇＮＢと称する）を具備する。本明細書においては一般的に、基地局２０２−１および２０２−２を基地局２０２と総称するとともに、個別にも基地局２０２と称する。同様に、本明細書においては一般的に、マクロセル２０４−１および２０４−２をマクロセル２０４と総称するとともに、個別にもマクロセル２０４と称する。また、セルラー通信ネットワーク２００は、対応する微小セル２０８−１〜２０８−４を制御する多くの低電力ノード２０６−１〜２０６−４を具備する。低電力ノード２０６−１〜２０６−４としては、小さな基地局（ピコもしくはフェムト基地局）またはリモート無線ヘッド（ＲＲＨ）等が可能である。とりわけ、図示はしていないものの、微小セル２０８−１〜２０８−４のうちの１つまたは複数が代替として基地局２０２により提供されていてもよい。本明細書においては一般的に、低電力ノード２０６−１および２０６−４を低電力ノード２０６と総称するとともに、個別にも低電力ノード２０６と称する。同様に、本明細書においては一般的に、微小セル２０８−１〜２０８−４を微小セル２０８と総称するとともに、個別にも微小セル２０８と称する。基地局２０２（および、任意選択として低電力ノード２０６）は、コアネットワーク２１０に接続されている。
【００５５】
基地局２０２および低電力ノード２０６は、対応するセル２０４および２０８において、無線デバイス２１２−１〜２１２−５にサービスを提供する。本明細書においては一般的に、無線デバイス２１２−１〜２１２−５を無線デバイス２１２と総称するとともに、個別にも無線デバイス２１２と称する。また、本明細書においては、無線デバイス２１２をＵＥと称する場合もある。
【００５６】
後述の通り、本開示の実施形態は、ＢＦＲのためのＣＢＲＡ手順を提供する。一般的に、本明細書に開示の実施形態それぞれにおいては、ＣＢＲＡの理由がＢＦＲであることと、無線デバイス２１２の新サービングビームと、無線デバイス２１２の識別情報との明示的および／または暗示的な指標を無線デバイス２１２が基地局２０２に（または、低電力ノード２０６へも同様に）提供するＣＢＲＡ手順が実行される。この情報に基づいて、基地局２０２は、ＢＦＲのためのＣＢＲＡ手順が実行されているものと判定して、たとえば冗長なＲＲＣ接続再確立手順のトリガを控えること等、１つまたは複数の適当な措置を講じることができる。結果として、ＢＦＲのための効率的なＣＢＲＡが提供される。
【００５７】
この点、図３は、本明細書に開示の実施形態のうちの少なくともいくつかに係る、無線デバイス２１２（ここでは、ＵＥ２１２と称する）および基地局２０２（ここでは、ｇＮＢ２０２と称する）の動作を示している。図示のように、無線デバイス２１２は、ＲＲＣ接続状態にある（ステップ３００）。ＲＲＣ接続状態において、無線デバイス２１２は、ビーム障害を検出する（ステップ３０２）。ビーム障害は、任意の好適なビーム障害検出方式を用いて検出される。無線デバイス２１２が使用する特定のビーム障害検出方式は、本開示の焦点ではない。ビーム障害検出の一部として、無線デバイス２１２は、１つまたは複数の候補ビームを検出し、候補ビームのうちの１つを新サービングビームとして（すなわち、障害が発生したビーム（本明細書においては、無線デバイス２１２の旧サービングビームと称する）に置き換わる新たなビームとして）選択するのが好ましい。
【００５８】
ビーム障害の検出に際して、無線デバイス２１２は、ＣＢＲＡ手順をトリガする。無線デバイス２１２およびｇＮＢ２０２は、ＣＢＲＡ手順を実行するように一体的に動作する（ステップ３０４）。図示のように、ＣＢＲＡ手順には、無線デバイス２１２からｇＮＢ２０２へのプリアンブル（すなわち、ＲＡプリアンブル）の送信を含む（ステップ３０４Ａ）。プリアンブルの検出に際して、ｇＮＢ２０２は、ＲＡＲを送信する（ステップ３０４Ｂ）。ＲＡＲの受信に際して、無線デバイス２１２は、メッセージ（３ＧＰＰにおいてはＭｓｇ３と称する）をｇＮＢ２０２に送信する（ステップ３０４Ｃ）。その後、当業者には当然のことながら、ｇＮＢ２０２は、無線デバイス２１２のＣ−ＲＮＴＩを含むダウンリンク制御情報（ＤＣＩ）を送信する（ステップ３０４Ｄ）。その後、無線デバイス２１２は、新サービングビームに切り替わる（ステップ３０６）。
【００５９】
以下に詳しく説明する通り、ＣＢＲＡ手順において、無線デバイス２１２は、ＣＢＲＡ手順の理由がＢＦＲであることと、無線デバイス２１２に対する新サービングビームと、無線デバイス２１２の識別情報との明示的および／または暗示的な指標をｇＮＢ２０２に提供する。いくつかの実施形態において、この情報は、Ｍｓｇ３（すなわち、ステップ３０４Ｃのメッセージ）に含まれる。他のいくつかの実施形態において、この情報の少なくとも一部は、特定の送信プリアンブルおよび／またはステップ３０４Ａのプリアンブルの送信に用いられるＰＲＡＣＨリソースによって暗示される。その他の詳細および実施形態については、以下に開示される。
【００６０】
より具体的に、改良の実現には、複数の選択肢も存在する。後述のすべての実施形態において、無線デバイス２１２は、ＲＲＣ接続再確立手順においてトリガされるＵＥ動作（ＲＲＣ仕様の３ＧＰＰ  ＴＳ  ３６．３３１  Ｖ１５．０．０および３８．３３１  Ｖ１５．０．０（いずれも第５．３．７項  ＲＲＣ接続再確立）に指定のＵＥ動作等）を省略する。ＣＢＲＡ手順において、無線デバイス２１２は、ＢＦＲのためのＣＢＲＡがトリガされたことを示す。
【００６１】
第１の実施形態：第１の実施形態においては、ＢＦＲトリガＲＡの識別にメッセージ３の拡張版が用いられる。
【００６２】
第１の選択肢においては、メッセージ３において、ＵＥ  ＭＡＣエンティティがそのＣ−ＲＮＴＩ  ＭＡＣ  ＣＥと併せて、新サービングビームのインデックスまたは情報を含む。言い換えると、ステップ３０４ＣにおいてＵＥ２１２からｇＮＢ２０２に送られるＭｓｇ３には、ＵＥ２１２の新サービングビームを示すインデックス等の情報とともに、ＵＥ  ＭＡＣエンティティのＣ−ＲＮＴＩ  ＭＡＣ  ＣＥを含む。ネットワーク（たとえば、ｇＮＢ２０２）は、このメッセージ３の受信に際して、Ｃ−ＲＮＴＩと関連付けられたＵＥ２１２がＢＦＲをトリガしたものと判定する。
【００６３】
第２の選択肢において、ＵＥ  ＭＡＣは、そのＣ−ＲＮＴＩ  ＭＡＣ  ＣＥと、ＲＡに用いられるアップリンク／ダウンリンクビーム／ビーム集合と関連付けられた同期信号ブロック（ＳＳＢ）もしくはＳＳＢグループのインデックス、チャネル状態情報参照シンボル（ＣＳＩ−ＲＳ）設定のインデックス、または伝送設定インジケータ（ＴＣＩ）状態のインデックス等、新サービングビームを示す他のインデックスまたは情報とを搬送する。言い換えると、ステップ３０４ＣにおいてＵＥ２１２からｇＮＢ２０２に送られるＭｓｇ３には、ＵＥ２１２の新サービングビームを示すインデックス等の情報とともに、ＵＥ  ＭＡＣエンティティのＣ−ＲＮＴＩ  ＭＡＣ  ＣＥを含み、このＵＥ２１２の新サービングビームを示すインデックス等の情報は、たとえば新サービングビームと関連付けられたＳＳＢもしくはＳＳＢグループのインデックス、新サービングビームと関連付けられたＣＳＩ−ＲＳ設定のインデックス、または新サービングビームと関連付けられたＴＣＩ状態のインデックスである。
【００６４】
第３の選択肢においては、上述のすべての選択肢に対して、新サービングビームを示すのに用いられるインデックスを搬送する新たなＭＡＣ  ＣＥが規定され、メッセージ３に含まれていてもよい。
【００６５】
第４の選択肢においては、新サービングビームを示すのに用いられるインデックスを搬送するようにＣ−ＲＮＴＩ  ＭＡＣ  ＣＥが拡張される。
【００６６】
別の選択肢では、任意の利用可能な予約（Ｒ）ビット等、既存のＭＡＣ  ＣＥ中のフィールドを再利用して、新サービングビームを示すのに用いられるインデックスを搬送する。
【００６７】
上記すべての選択肢においては、ＲＡイベントの種類、ＢＦＲのためのＲＡがトリガされているかどうか、または別の目的を示すのに付加的なフィールドが追加されてもよい。
【００６８】
また、上記すべての選択肢において、ＵＥ  ＭＡＣは、障害が発生した旧サービングビームのインデックスまたは情報を搬送するようにしてもよい。また、上記すべての選択肢においては、他のビーム／ビーム集合／ＳＳＢ／ＳＳＢグループの無線品質測定結果を搬送するいくつかの付加的なフィールドの追加によって、ｇＮＢ２０２がビーム切り替えのため、これらの測定結果を用いて無線デバイス２１２への候補ビーム／ビーム集合を示すか否かを考慮できるようにしてもよい。
【００６９】
第２の実施形態：第２の実施形態においては、ＢＦＲを示す新たなＣ−ＲＮＴＩ  ＭＡＣ  ＣＥを規定可能である。たとえば、ＢＦＲのＣ−ＲＮＴＩ  ＭＡＣ  ＣＥに対して、ＲＲＣ接続再確立のためのＣ−ＲＮＴＩ  ＭＡＣ  ＣＥの論理チャネル識別子（ＩＤ）とは異なる１つの新たな論理チャネルＩＤを規定可能である。言い換えると、ステップ３０４ＣのＭｓｇ３には、ＵＥ２１２のＵＥ  ＭＡＣエンティティの新たなＣ−ＲＮＴＩ  ＭＡＣ  ＣＥを含み、この新たなＣ−ＲＮＴＩ  ＭＡＣ  ＣＥがＢＦＲに対して規定された新たな論理チャネルＩＤを含む。この新たな論理チャネルＩＤは、ＲＲＣ接続再確立に用いられる既存のＣ−ＲＮＴＩ  ＭＡＣ  ＣＥの論理チャネルＩＤとは異なる。この場合は、（ＢＦＲを示す）新たなＭＡＣ  ＣＥおよび（ＲＲＣ接続再確立のための）通常のＣ−ＲＮＴＩ  ＭＡＣ  ＣＥの両者がともに搬送されることになる。ｇＮＢは、Ｃ−ＲＮＴＩ  ＭＡＣ  ＣＥの論理チャネルＩＤに基づいて、ＰＲＡＣＨ送信がＲＲＣ接続再確立によりトリガされたか、ＢＦＲによりトリガされたかを判定することができる。
【００７０】
このような解決手段の利点として、ＲＲＣ接続再確立と比較してメッセージ３のサイズ変化が回避されることにより、メッセージ３のアップリンクグラント割り当てが簡略化されている。
【００７１】
第３の実施形態：第３の実施形態においては、ＢＦＲトリガＣＢＲＡおよび新サービングビームの識別にメッセージ１が用いられる。メッセージ１は、ステップ３０４Ａにおいて送信されるプリアンブルを表す。
【００７２】
ＢＦＲのためのＣＦＲＡにおいて、無線デバイス２１２は、無線デバイス２１２を示すその専用プリアンブルを使用するとともに、所望の新サービングビームを示す専用ＰＲＡＣＨリソース上でこのプリアンブルを送信する。本実施形態において、専用ＰＲＡＣＨリソースは、ＢＦＲのためのＣＢＲＡにも用いられ、新サービングビームを示すとともに、ＲＡの理由がＢＦＲであることを示す。本実施形態において、無線デバイス２１２は、メッセージ３においてそのＣ−ＲＮＴＩを指定することにより、ｇＮＢ２０２に対してそれ自体を識別する。一例としては、一群のＵＥの場合に、ＰＲＡＣＨプリアンブルグループをＢＦＲに対して特別に設定可能である。別の例としては、特別な時間−周波数リソース集合をＢＦＲに対して設定可能であり、ＵＥは、その時間−周波数リソースをＰＲＡＣＨ送信に対して主張することができる。
【００７３】
言い換えると、第３の実施形態の一例において、ＵＥ２１２は、ステップ３０４Ａにおいて、予約プリアンブルグループから選択されるプリアンブルを送信する。プリアンブルは、ＢＦＲのためのＲＡがトリガされたことを示す。別の例として、ＵＥ２１２は、予約リソースグループから選択されるリソースでプリアンブルを送信する。リソースは、ＢＦＲのためのＲＡがトリガされたことを示す。ＵＥ２１２は、ステップ３０４ＣのＭｓｇ３において、本例においてはＵＥ２１２のＣ−ＲＮＴＩであるその識別情報を提供する。
【００７４】
第４の実施形態：第４の実施形態においては、ＢＦＲのためのＲＡ中に、メッセージ３がライトＲＲＣメッセージを搬送するが、これには、ＲＡアクセスイベントのインジケータおよび新サービングビームを示すインデックスを含む。ＲＲＣメッセージは、障害が発生した旧サービングビームのインデックスまたは情報を搬送するようにしてもよい。
【００７５】
本実施形態において、ＵＥ  ＭＡＣエンティティは、そのＣ−ＲＮＴＩ  ＭＡＣ  ＣＥを含み、また、ライトＲＲＣメッセージを搬送するが、これには、最小限のＲＲＣメッセージヘッダおよび新サービングビームを示すインデックスのみを含んでいてもよい。また、ＲＡアクセスイベント（ＢＦＲのためにトリガされたＲＡであるか否か）のインジケータも追加可能である。また、任意選択として、ＵＥ  ＭＡＣは、ＲＲＣメッセージにおいて、他のビーム／ビーム集合／ＳＳＢ／ＳＳＢグループの無線品質測定結果を搬送するようにしてもよい。
【００７６】
言い換えると、ステップ３０４Ｃにおいて送信されるＭｓｇ３には、Ｃ−ＲＮＴＩ  ＭＡＣ  ＣＥのほか、ライトＲＲＣメッセージを含む。このライトＲＲＣメッセージは、ＲＲＣメッセージヘッダの一部のみ（たとえば、ＲＲＣメッセージを適正に送受信するのに必要な最小限のＲＲＣメッセージヘッダ）を含んでいてもよい。また、このライトＲＲＣメッセージには、新サービングビームを示すインデックスまたは情報を含む。任意選択として、このライトＲＲＣメッセージには、ＲＡアクセスイベントのインジケータ（たとえば、このＲＡの理由がＢＦＲであるか否かのインジケータ）を含んでいてもよい。
【００７７】
したがって、ＲＲＣは、上述の通り、追加情報に対する１つまたは複数の新たな情報要素を規定していてもよい。
【００７８】
第５の実施形態：第５の実施形態においては、ＲＡの受信に際して、ｇＮＢ２０２は、（たとえば、上記実施形態のいずれかに係るメッセージ３における）受信情報に基づいて、ＢＦＲのためのＲＡがトリガされたかを判定する。ＢＦＲは、メッセージ３における追加情報または再規定されたＣ−ＲＮＴＩ  ＭＡＣ  ＣＥのいずれかに基づいて決定可能である。
【００７９】
ＢＦＲが決定されたら、ｇＮＢ２０２は、ＲＡがＢＦＲによりトリガされたことを把握するため、無線デバイス２１２に対する無線リソースの再設定は不要となる。このため、ｇＮＢ２０２は、無線デバイス２１２に対するＲＲＣ接続再確立手順のトリガを控える。ｇＮＢ２０２は、無線デバイス２１２に別の動作を指示する別のシグナリングを提供するようにしてもよい。たとえば、ｇＮＢ２０２は、無線デバイス２１２が切り替えを考慮すべきビームを示すようにしてもよい。
【００８０】
以下、上述の実施形態のすべてに適用し得るいくつかの付加的な態様について論じる。図４は、本開示のいくつかの実施形態に係る、無線アクセスノード４００の概略ブロック図である。無線アクセスノード４００は、たとえば基地局２０２または２０６であってもよい。図示のように、無線アクセスノード４００は、１つもしくは複数のプロセッサ４０４（たとえば、中央演算処理装置（ＣＰＵ）、特定用途向け集積回路（ＡＳＩＣ）、フィールドプログラマブルゲートアレイ（ＦＰＧＡ）、および／もしくは同類のもの）、メモリ４０６、ならびにネットワークインターフェース４０８を含む制御システム４０２を具備する。また、無線アクセスノード４００は、１つまたは複数のアンテナ４１６に結合された１つもしくは複数の送信機４１２ならびに１つもしくは複数の受信機４１４をそれぞれ含む１つまたは複数の無線ユニット４１０を具備する。いくつかの実施形態において、無線ユニット４１０は、制御システム４０２の外部にあり、たとえば有線接続（たとえば、光ケーブル）を介して制御システム４０２に接続されている。ただし、他のいくつかの実施形態において、無線ユニット４１０および可能性としてアンテナ４１６は、制御システム４０２と一体化されている。１つまたは複数のプロセッサ４０４は、本明細書に記載の通り、無線アクセスノード４００の１つまたは複数の機能（たとえば、図３に関して上述した基地局またはｇＮＢ２０２の機能）を与えるように動作する。いくつかの実施形態において、これらの機能は、たとえばメモリ４０６に格納され、１つまたは複数のプロセッサ４０４により実行されるソフトウェアにおいて実装される。
【００８１】
図５は、本開示のいくつかの実施形態に係る、無線アクセスノード４００の仮想化実施形態を示した概略ブロック図である。この考察は、他種のネットワークノードにも等しく適用可能である。さらには、他種のネットワークノードが類似の仮想化アーキテクチャを有していてもよい。
【００８２】
本明細書において、「仮想化（ｖｉｒｔｕａｌｉｚｅｄ）」無線アクセスノードは、無線アクセスノード４００の機能の少なくとも一部が（たとえば、ネットワークにおける物理的処理ノード上で実行される仮想マシンにより）仮想コンポーネントとして実装される無線アクセスノード４００の一実装形態である。図示のように、本例において、無線アクセスノード４００は、上述の通り、１つもしくは複数のプロセッサ４０４（たとえば、ＣＰＵ、ＡＳＩＣ、ＦＰＧＡ、および／もしくは同類のもの）、メモリ４０６、ならびにネットワークインターフェース４０８を含む制御システム４０２と、１つまたは複数のアンテナ４１６に結合された１つもしくは複数の送信機４１２ならびに１つもしくは複数の受信機４１４をそれぞれ含む１つまたは複数の無線ユニット４１０とを具備する。制御システム４０２は、たとえば光ケーブル等を介して無線ユニット４１０に接続されている。制御システム４０２は、ネットワークインターフェース４０８を介して、ネットワーク５０２に結合された１つもしくは複数の処理ノード５００またはネットワーク５０２の一部として含まれる１つもしくは複数の処理ノード５００に接続されている。各処理ノード５００は、１つもしくは複数のプロセッサ５０４（たとえば、ＣＰＵ、ＡＳＩＣ、ＦＰＧＡ、および／もしくは同類のもの）、メモリ５０６、ならびにネットワークインターフェース５０８を具備する。
【００８３】
本例において、本明細書に記載の無線アクセスノード４００の機能５１０（たとえば、図３に関して上述した基地局またはｇＮＢ２０２の機能）は、１つもしくは複数の処理ノード５００で実装されるか、または、任意所望の様態で制御システム４０２ならびに１つもしくは複数の処理ノード５００に分散される。いくつかの特定の実施形態においては、処理ノード５００がホスティングする仮想環境において実装された１つまたは複数の仮想マシンにより実行される仮想コンポーネントとして、本明細書に記載の無線アクセスノード４００の機能５１０の一部または全部が実装される。当業者には当然のことながら、所望の機能５１０の少なくとも一部を実行するため、処理ノード５００と制御システム４０２との間の付加的なシグナリングまたは通信が使用される。とりわけ、いくつかの実施形態においては、制御システム４０２が含まれていなくてもよく、この場合、無線ユニット４１０は、適当なネットワークインターフェースを介して処理ノード５００と直接連通する。
【００８４】
いくつかの実施形態においては、少なくとも１つのプロセッサにより実行された場合に、本明細書に記載の実施形態のいずれかに係る仮想環境において無線アクセスノード４００の機能５１０のうちの１つまたは複数を実装した無線アクセスノード４００またはノード（たとえば、処理ノード５００）の機能を少なくとも１つのプロセッサに実行させる命令を含むコンピュータプログラムが提供される。いくつかの実施形態においては、前述のコンピュータプログラム製品を含む担体が提供される。担体は、電子信号、光信号、無線信号、またはコンピュータ可読記憶媒体（たとえば、メモリ等の持続性コンピュータ可読媒体）のうちの１つである。
【００８５】
図６は、本開示の他のいくつかの実施形態に係る、無線アクセスノード４００の概略ブロック図である。無線アクセスノード４００は、ソフトウェアにおいてそれぞれ実装される１つまたは複数のモジュール６００を含む。モジュール６００は、本明細書に記載の無線アクセスノード４００の機能（たとえば、図３に関して上述した基地局またはｇＮＢ２０２の機能）を与える。この考察は、図５の処理ノード５００にも等しく適用可能であり、モジュール６００は、処理ノード５００のうちの１つで実装されていてもよいし、複数の処理ノード５００ならびに／または処理ノード５００および制御システム４０２に分散していてもよい。
【００８６】
図７は、本開示のいくつかの実施形態に係る、ＵＥ７００の概略ブロック図である。図示のように、ＵＥ７００は、１つまたは複数のプロセッサ７０２（たとえば、ＣＰＵ、ＡＳＩＣ、ＦＰＧＡ、および／もしくは同類のもの）と、メモリ７０４と、１つまたは複数のアンテナ７１２に結合された１つもしくは複数の送信機７０８ならびに１つもしくは複数の受信機７１０をそれぞれ含む１つまたは複数の送受信機７０６とを具備する。いくつかの実施形態において、上述のＵＥ７００の機能（たとえば、図３に関して上述したＵＥ２１２の機能）は、たとえばメモリ７０４に格納され、プロセッサ７０２により実行されるソフトウェアにおいて全部または一部が実装されていてもよい。
【００８７】
いくつかの実施形態においては、少なくとも１つのプロセッサにより実行された場合に、本明細書に記載の実施形態のいずれかに係るＵＥ７００の機能を少なくとも１つのプロセッサに実行させる命令を含むコンピュータプログラムが提供される。いくつかの実施形態においては、前述のコンピュータプログラム製品を含む担体が提供される。担体は、電子信号、光信号、無線信号、またはコンピュータ可読記憶媒体（たとえば、メモリ等の持続性コンピュータ可読媒体）のうちの１つである。
【００８８】
図８は、本開示の他のいくつかの実施形態に係る、ＵＥ７００の概略ブロック図である。ＵＥ７００は、ソフトウェアにおいてそれぞれ実装される１つまたは複数のモジュール８００を含む。モジュール８００は、本明細書に記載のＵＥ７００の機能（たとえば、図３に関して上述したＵＥ２１２の機能）を与える。
【００８９】
本明細書に開示の如何なる適当なステップ、方法、特徴、機能、または便益も、１つまたは複数の仮想装置の１つまたは複数の機能ユニットまたはモジュールにより実行可能である。各仮想装置は、これら多くの機能ユニットを備えていてもよい。これらの機能ユニットは、処理回路（１つまたは複数のマイクロプロセッサまたはマイクロコントローラが挙げられる）および他のデジタルハードウェア（デジタル信号プロセッサ（ＤＳＰ）、専用デジタルロジック等が挙げられる）により実装されていてもよい。処理回路は、メモリ（リードオンリーメモリ（ＲＯＭ）、ランダムアクセスメモリ（ＲＡＭ）、キャッシュメモリ、フラッシュメモリデバイス、光学式記憶装置等、１つまたは複数の種類のメモリが挙げられる）に格納されたプログラムコードを実行するように設定されていてもよい。メモリに格納されたプログラムコードには、１つまたは複数の遠隔通信および／またはデータ通信プロトコルを実行するプログラム命令のほか、本明細書に記載の技術のうちの１つまたは複数を実行する命令を含む。いくつかの実装形態において、処理回路は、本開示の１つまたは複数の実施形態に係る対応機能を各機能ユニットに実行させるのに使用可能である。
【００９０】
図中のプロセスは、本開示の特定の実施形態により実行される特定順序の動作を示し得るが、このような順序は例示に過ぎないことが了解されるものとする（たとえば、代替実施形態においては、動作を異なる順序で実行するようにしてもよいし、特定の動作を組み合わせてもよいし、特定の動作を重ね合わせてもよいし、その他であってもよい）。
【００９１】
いくつかの例示的な実施形態としては、以下が挙げられる。
【００９２】
実施形態１：無線通信システム（２００）におけるビーム障害回復のために無線デバイス（２１２）により実行される方法であって、
ビーム障害を検出すること（３０２）と、
ビーム障害の検出に際してコンテンションベースランダムアクセス手順を実行すること（３０４）であり、
コンテンションベースランダムアクセス手順の理由がビーム障害回復であることと、
無線デバイス（２１２）に対する新サービングビームと、
無線デバイス（２１２）の識別情報と、
の明示的および／または暗示的な指標をネットワークノード（２０２）に提供することを含む、コンテンションベースランダムアクセス手順を実行すること（３０４）と、
を含む、方法。
【００９３】
実施形態２：コンテンションベースランダムアクセス手順を実行することが、ランダムアクセスプリアンブルをネットワークノード（２０２）に送信すること（３０４Ａ）と、ネットワークノード（２０２）からランダムアクセス応答を受信すること（３０４Ｂ）と、無線デバイス（２１２）の識別情報と無線デバイス（２１２）に対する新サービングビームを示す情報とを含むメッセージをネットワークノード（２０２）に送信すること（３０４Ｃ）であり、メッセージが、コンテンションベースランダムアクセス手順の理由がビーム障害回復であるとの暗示的な指標を提供する、メッセージをネットワークノード（２０２）に送信すること（３０４Ｃ）と、を含む、実施形態１に記載の方法。
【００９４】
実施形態３：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩを含むＣ−ＲＮＴＩ媒体アクセス制御（ＭＡＣ）制御エレメント（ＣＥ）を含む、実施形態２に記載の方法。
【００９５】
実施形態４：無線デバイス（２１２）に対する新サービングビームを示す情報が、新サービングビームのビームインデックス、新サービングビームと関連付けられた同期信号ブロック（ＳＳＢ）もしくはＳＳＢグループインデックス、新サービングビームと関連付けられたチャネル状態情報参照シンボル（ＣＳＩ−ＲＳ）設定インデックス、ならびに／または新サービングビームと関連付けられた伝送設定インジケータ（ＴＣＩ）状態インデックス、を含む、実施形態２または３に記載の方法。
【００９６】
実施形態５：メッセージが、無線デバイス（２１２）に対する新サービングビームを示す情報を含む新たなＭＡＣ  ＣＥを含む、実施形態２から４のいずれか１つに記載の方法。
【００９７】
実施形態６：メッセージが、既存のＭＡＣ  ＣＥを含み、既存のＭＡＣ  ＣＥにおける１つまたは複数の未使用ビットが、無線デバイス（２１２）に対する新サービングビームを示す情報の伝達に用いられる、実施形態２から４のいずれか１つに記載の方法。
【００９８】
実施形態７：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩと無線デバイス（２１２）に対する新サービングビームを示す情報とを含む拡張Ｃ−ＲＮＴＩ媒体アクセス制御（ＭＡＣ）制御エレメント（ＣＥ）を含む、実施形態２に記載の方法。
【００９９】
実施形態８：メッセージが、コンテンションベースランダムアクセス手順の理由がビーム障害回復であることを示す情報をさらに含む、実施形態２から７のいずれか１つに記載の方法。
【０１００】
実施形態９：メッセージが、無線デバイス（２１２）の旧サービングビームを示す情報をさらに含む、実施形態２から８のいずれか１つに記載の方法。
【０１０１】
実施形態１０：メッセージが、１つもしくは複数の他のビーム、ビーム集合、同期信号ブロック（ＳＳＢ）、ならびに／またはＳＳＢグループの無線品質測定結果をさらに含む、実施形態２から９のいずれか１つに記載の方法。
【０１０２】
実施形態１１：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩと、コンテンションベースランダムアクセス手順の理由がビーム障害回復であることを示す情報とを含むＣ−ＲＮＴＩ媒体アクセス制御（ＭＡＣ）制御エレメント（ＣＥ）を含む、実施形態２に記載の方法。
【０１０３】
実施形態１２：コンテンションベースランダムアクセス手順の理由がビーム障害回復であることを示す情報が、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む、実施形態１１に記載の方法。
【０１０４】
実施形態１３：コンテンションベースランダムアクセス手順を実行することが、専用ランダムアクセスチャネルリソース上で専用ランダムアクセスプリアンブルをネットワークノード（２０２）に送信すること（３０４Ａ）であり、専用ランダムアクセスプリアンブルが、無線デバイス（２１２）の識別情報を示し、専用ランダムアクセスチャネルリソースが、無線デバイス（２１２）に対する新サービングビームを示す、専用ランダムアクセスプリアンブルをネットワークノード（２０２）に送信すること（３０４Ａ）と、ネットワークノード（２０２）からランダムアクセス応答を受信すること（３０４Ｂ）と、無線デバイス（２１２）の識別情報を含むメッセージをネットワークノード（２０２）に送信すること（３０４Ｃ）とを含む、実施形態１に記載の方法。
【０１０５】
実施形態１４：コンテンションベースランダムアクセス手順を実行することが、
ランダムアクセスプリアンブルをネットワークノード（２０２）に送信すること（３０４Ａ）と、
ネットワークノード（２０２）からランダムアクセス応答を受信すること（３０４Ｂ）と、
コンテンションベースランダムアクセス手順の理由がビーム障害回復であるとの指標と、
無線デバイス（２１２）に対する新サービングビームを示す情報と、
を含む無線リソース制御（ＲＲＣ）メッセージを含むメッセージをネットワークノード（２０２）に送信すること（３０４Ｃ）と、
を含む、実施形態１に記載の方法。
【０１０６】
実施形態１５：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩを含むＣ−ＲＮＴＩ媒体アクセス制御（ＭＡＣ）制御エレメント（ＣＥ）とＲＲＣメッセージとを含む、実施形態１４に記載の方法。
【０１０７】
実施形態１６：ＲＲＣメッセージが、無線デバイス（２１２）の旧サービングビームを示す情報をさらに含む、実施形態１４または１５に記載の方法。
【０１０８】
実施形態１７：ＲＲＣメッセージが、１つもしくは複数の他のビーム、ビーム集合、同期信号ブロック（ＳＳＢ）、ならびに／またはＳＳＢグループの無線品質測定結果をさらに含む、実施形態１４から１６のいずれか１つに記載の方法。
【０１０９】
実施形態１８：無線通信システム（２００）におけるビーム障害回復のための基地局（２０２）により実行される方法であって、
無線デバイス（２１２）とともに、コンテンションベースランダムアクセス手順を実行することであり、
コンテンションベースランダムアクセス手順の理由がビーム障害回復であることと、
無線デバイス（２１２）に対する新サービングビームと、
無線デバイス（２１２）の識別情報と、
の明示的および／または暗示的な指標を無線デバイス（２１２）から受信すること（３０４）を含む、コンテンションベースランダムアクセス手順を実行することを含む、方法。
【０１１０】
実施形態１９：コンテンションベースランダムアクセス手順を実行することが、無線デバイス（２１２）からランダムアクセスプリアンブルを受信すること（３０４Ａ）と、ランダムアクセス応答を無線デバイス（２１２）に送信すること（３０４Ｂ）と、無線デバイス（２１２）の識別情報と無線デバイス（２１２）に対する新サービングビームを示す情報とを含むメッセージをネットワークノード（２０２）に受信すること（３０４Ｃ）であり、メッセージが、コンテンションベースランダムアクセス手順の理由がビーム障害回復であるとの暗示的な指標を提供する、メッセージを無線デバイス（２１２）から受信すること（３０４Ｃ）と、を含む、実施形態１８に記載の方法。
【０１１１】
実施形態２０：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩを含むＣ−ＲＮＴＩ媒体アクセス制御（ＭＡＣ）制御エレメント（ＣＥ）を含む、実施形態１９に記載の方法。
【０１１２】
実施形態２１：無線デバイス（２１２）に対する新サービングビームを示す情報が、新サービングビームのビームインデックス、新サービングビームと関連付けられた同期信号ブロック（ＳＳＢ）もしくはＳＳＢグループインデックス、新サービングビームと関連付けられたチャネル状態情報参照シンボル（ＣＳＩ−ＲＳ）設定インデックス、ならびに／または新サービングビームと関連付けられた伝送設定インジケータ（ＴＣＩ）状態インデックス、を含む、実施形態１９または２０に記載の方法。
【０１１３】
実施形態２２：メッセージが、無線デバイス（２１２）に対する新サービングビームを示す情報を含む新たなＭＡＣ  ＣＥを含む、実施形態１９から２１のいずれか１つに記載の方法。
【０１１４】
実施形態２３：メッセージが、既存のＭＡＣ  ＣＥを含み、既存のＭＡＣ  ＣＥにおける１つまたは複数の未使用ビットが、無線デバイス（２１２）に対する新サービングビームを示す情報の伝達に用いられる、実施形態１９から２１のいずれか１つに記載の方法。
【０１１５】
実施形態２４：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩと無線デバイス（２１２）に対する新サービングビームを示す情報とを含む拡張Ｃ−ＲＮＴＩ媒体アクセス制御（ＭＡＣ）制御エレメント（ＣＥ）を含む、実施形態１９に記載の方法。
【０１１６】
実施形態２５：メッセージが、コンテンションベースランダムアクセス手順の理由がビーム障害回復であることを示す情報をさらに含む、実施形態１９から２４のいずれか１つに記載の方法。
【０１１７】
実施形態２６：メッセージが、無線デバイス（２１２）の旧サービングビームを示す情報をさらに含む、実施形態１９から２５のいずれか１つに記載の方法。
【０１１８】
実施形態２７：メッセージが、１つもしくは複数の他のビーム、ビーム集合、同期信号ブロック（ＳＳＢ）、ならびに／またはＳＳＢグループの無線品質測定結果をさらに含む、実施形態１９から２６のいずれか１つに記載の方法。
【０１１９】
実施形態２８：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩと、コンテンションベースランダムアクセス手順の理由がビーム障害回復であることを示す情報とを含むＣ−ＲＮＴＩ媒体アクセス制御（ＭＡＣ）制御エレメント（ＣＥ）を含む、実施形態１９に記載の方法。
【０１２０】
実施形態２９：コンテンションベースランダムアクセス手順の理由がビーム障害回復であることを示す情報が、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む、実施形態２８に記載の方法。
【０１２１】
実施形態３０：コンテンションベースランダムアクセス手順を実行することが、専用ランダムアクセスチャネルリソース上で専用ランダムアクセスプリアンブルを無線デバイス（２１２）から受信すること（３０４Ａ）であり、専用ランダムアクセスプリアンブルが、無線デバイス（２１２）の識別情報を示し、専用ランダムアクセスチャネルリソースが、無線デバイス（２１２）に対する新サービングビームを示す、専用ランダムアクセスプリアンブルを無線デバイス（２１２）から受信すること（３０４Ａ）と、ランダムアクセス応答を無線デバイス（２１２）に送信すること（３０４Ｂ）と、無線デバイス（２１２）の識別情報を含むメッセージを無線デバイス（２１２）から受信すること（３０４Ｃ）とを含む、実施形態１８に記載の方法。
【０１２２】
実施形態３１：コンテンションベースランダムアクセス手順を実行することが、
無線デバイス（２１２）からランダムアクセスプリアンブルを受信すること（３０４Ａ）と、
ランダムアクセス応答を無線デバイス（２１２）に送信すること（３０４Ｂ）と、
コンテンションベースランダムアクセス手順の理由がビーム障害回復であるとの指標と、
無線デバイス（２１２）に対する新サービングビームを示す情報と、
を含む無線リソース制御（ＲＲＣ）メッセージを含むメッセージを無線デバイス（２１２）から受信すること（３０４Ｃ）と、
を含む、実施形態１８に記載の方法。
【０１２３】
実施形態３２：無線デバイス（２１２）の識別情報が、無線デバイス（２１２）のセル無線ネットワーク一時識別子（Ｃ−ＲＮＴＩ）であり、メッセージが、無線デバイス（２１２）のＣ−ＲＮＴＩを含むＣ−ＲＮＴＩ媒体アクセス制御（ＭＡＣ）制御エレメント（ＣＥ）とＲＲＣメッセージとを含む、実施形態３１に記載の方法。
【０１２４】
実施形態３３：ＲＲＣメッセージが、無線デバイス（２１２）の旧サービングビームを示す情報をさらに含む、実施形態３１または３２に記載の方法。
【０１２５】
実施形態３４：ＲＲＣメッセージが、１つもしくは複数の他のビーム、ビーム集合、同期信号ブロック（ＳＳＢ）、ならびに／またはＳＳＢグループの無線品質測定結果をさらに含む、実施形態３１から３３のいずれか１つに記載の方法。
【０１２６】
実施形態３５：明示的および／または暗示的な指標に基づいて、コンテンションベースランダムアクセス手順がビーム障害回復のために実行されているものと判定することと、コンテンションベースランダムアクセス手順がビーム障害回復のために実行されているとの判定に際して、ＲＲＣ接続再確立手順の開始を控えることと、をさらに含む、実施形態１８から３４のいずれか１つに記載の方法。
【０１２７】
実施形態３６：無線通信システム（２００）におけるビーム障害回復のための無線デバイス（７００）であって、実施形態１から１８のいずれか１つのステップのいずれかを実行するように設定された処理回路（７０２）と、無線デバイス（７００）に電力を供給するように設定された電力供給回路と、を備えた、無線デバイス（７００）。
【０１２８】
実施形態３７：無線通信システム（２００）におけるビーム障害回復のための基地局（４００）であって、実施形態１８から３５のいずれか１つのステップのいずれかを実行するように設定された処理回路（４０４）と、基地局（４００）に電力を供給するように設定された電力供給回路と、を備えた、基地局（４００）。
【０１２９】
実施形態３８：無線通信システム（２００）におけるビーム障害回復のためのユーザ機器（ＵＥ）（７００）であって、無線信号を送受信するように設定されたアンテナ（７１２）と、アンテナ（７１２）および処理回路（７０２）に接続され、アンテナ（７１２）と処理回路（７０２）との間で伝達される信号を調節するように設定された無線フロントエンド回路と、実施形態１から１８のいずれか１つのステップのいずれかを実行するように設定された処理回路（７０２）と、処理回路（７０２）に接続され、ＵＥ（７００）への情報の入力の処理回路（７０２）による処理を可能にするように構成された入力インターフェースと、処理回路（７０２）に接続され、処理回路（７０２）により処理された情報をＵＥ（７００）から出力するように設定された出力インターフェースと、処理回路（７０２）に接続され、ＵＥ（７００）に電力を供給するように設定されたバッテリと、を備えた、ＵＥ（７００）。
【０１３０】
本開示においては、以下の略語のうちの少なくとも一部が使用され得る。略語間に矛盾が存在する場合は、上記の使用方法が優先されるものとする。以下の掲載が複数回に及ぶ場合は、それ以降のいずれよりも最初の掲載が優先されるものとする。
３ＧＰ    第３世代パートナーシッププロジェクト
５Ｇ    第５世代
ＡＰ    アクセスポイント
ＡＳＩＣ    特定用途向け集積回路
ＢＦＲ    ビーム障害回復
ＢＬＥＲ    ブロック誤り率
ＣＢＲＡ    コンテンションベースランダムアクセス
ＣＥ    制御エレメント
ＣＦＲＡ    コンテンションフリーランダムアクセス
ＣＰＵ    中央演算処理装置
Ｃ−ＲＮＴＩ    セル無線ネットワーク一時識別子
ＣＳＩ−ＲＳ    チャネル状態情報参照シンボル
ＤＣＩ    ダウンリンク制御情報
ＤＳＰ    デジタル信号プロセッサ
ｅＮＢ    エンハンストまたはエボルブドノードＢ
ＦＰＧＡ    フィールドプログラマブルゲートアレイ
ＧＨｚ    ギガヘルツ
ｇＮＢ    新無線基地局
ＨＯ    ハンドオーバ
ＩＤ    識別子
ＬＴＥ    ロングタームエボリューション
ＭＡＣ    媒体アクセス制御
ＭＭＥ    モビリティ管理エンティティ
ＭＴＣ    マシンタイプ通信
ＮＲ    新無線
ＯＴＴ    オーバザトップ
ＰＤＣＣＨ    物理ダウンリンク制御チャネル
Ｐ−ＧＷ    パケットデータネットワークゲートウェイ
ＰＲＡＣＨ    物理ランダムアクセスチャネル
ＰＵＣＣＨ    物理アップリンク制御チャネル
ＲＡ    ランダムアクセス
ＲＡＣＨ    ランダムアクセスチャネル
ＲＡＭ    ランダムアクセスメモリ
ＲＡＮ    無線アクセスネットワーク
ＲＡＲ    ランダムアクセス応答
ＲＬＦ    無線リンク障害
ＲＯ    ランダムアクセスチャネルオケージョン
ＲＯＭ    リードオンリーメモリ
ＲＲＣ    無線リソース制御
ＲＲＨ    リモート無線ヘッド
ＲＳ    参照シンボル
ＲＳＲＰ    参照信号受信電力
ＳＣＥＦ    サービス能力公開機能
ＳＲ    スケジューリングリクエスト
ＳＳＢ    同期信号ブロック
ＴＣＩ    伝送設定インジケータ
ＴＳ    技術仕様書
ＵＥ    ユーザ機器
ＵＰ    ユーザプレーン
【０１３１】
当業者には、本開示の実施形態の改良および変更が認識されよう。このようなすべての改良および変更は、本明細書に開示の概念の範囲内に含まれると考えられる。
【図１】
2021511710.tif 000003
【図２】
2021511710.tif 000004
【図３】
2021511710.tif 000005
【図４】
2021511710.tif 000006
【図５】
2021511710.tif 000007
【図６】
2021511710.tif 000008
【図７】
2021511710.tif 000009
【図８】
2021511710.tif 000010
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
無線通信システム（２００）におけるビーム障害回復のために無線デバイス（２１２）により実行される方法であって、
ビーム障害を検出すること（３０２）と、
前記ビーム障害の検出に際してコンテンションベースランダムアクセス手順を実行すること（３０４）とを含み、前記コンテンションベースランダムアクセス手順を実行することが、
ランダムアクセスプリアンブルをネットワークノード（２０２）に送信すること（３０４Ａ）と、
前記ネットワークノード（２０２）からランダムアクセス応答を受信すること（３０４Ｂ）と、
前記無線デバイス（２１２）の識別情報と前記無線デバイス（２１２）に対する新サービングビームを示す情報とを含むメッセージを前記ネットワークノード（２０２）に送信すること（３０４Ｃ）とを含み、
前記メッセージが、前記コンテンションベースランダムアクセス手順の理由がビーム障害回復であるとの暗示的な指標を提供し、
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（２１２）に対する前記新サービングビームを示す前記情報の伝達に用いられる、方法。
【請求項２】
前記無線デバイス（２１２）に対する前記新サービングビームを示す前記情報が、
前記新サービングビームを示すインデックス、
前記新サービングビームと関連付けられた同期信号ブロック（ＳＳＢ）もしくはＳＳＢグループインデックス、
前記新サービングビームと関連付けられたチャネル状態情報参照シンボル（ＣＳＩ−ＲＳ）設定インデックス、ならびに／または
前記新サービングビームと関連付けられた伝送設定インジケータ（ＴＣＩ）状態インデックス、
を含む、請求項１に記載の方法。
【請求項３】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩを含むＣ−ＲＮＴＩ  ＭＡＣ  ＣＥを含む、請求項１または２に記載の方法。
【請求項４】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩと前記無線デバイス（２１２）に対する前記新サービングビームを示す前記情報とを含む拡張Ｃ−ＲＮＴＩ  ＭＡＣ  ＣＥを含む、請求項２に記載の方法。
【請求項５】
前記メッセージが、前記コンテンションベースランダムアクセス手順の前記理由がビーム障害回復であることを示す情報をさらに含む、請求項１から４のいずれか一項に記載の方法。
【請求項６】
前記メッセージが、前記ビーム障害が発生した前記無線デバイス（２１２）の旧サービングビームを示す情報をさらに含む、請求項１から５のいずれか一項に記載の方法。
【請求項７】
前記メッセージが、
１つもしくは複数の他のビーム、
１つもしくは複数の他のビーム集合、
１つもしくは複数の他のＳＳＢ、ならびに／または
１つもしくは複数の他のＳＳＢグループ、
の無線品質測定結果をさらに含む、請求項１から６のいずれか一項に記載の方法。
【請求項８】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩを含むＣ−ＲＮＴＩ  ＭＡＣ  ＣＥを含む、請求項１に記載の方法。
【請求項９】
前記コンテンションベースランダムアクセス手順の前記理由がビーム障害回復であるとの前記暗示的な指標が、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む、請求項８に記載の方法。
【請求項１０】
前記ランダムアクセスプリアンブルを前記ネットワークノード（２０２）に送信すること（３０４Ａ）が、ビーム障害回復のための予約プリアンブルグループから選択されるランダムアクセスプリアンブルを前記ネットワークノード（２０２）に送信すること（３０４Ａ）を含み、前記ランダムアクセスプリアンブルが、前記新サービングビームを示すとともに、前記コンテンションベースランダムアクセス手順の前記理由がビーム障害回復であることを示す、請求項１に記載の方法。
【請求項１１】
前記ランダムアクセスプリアンブルを前記ネットワークノード（２０２）に送信すること（３０４Ａ）が、ビーム障害回復のための予約リソースグループから選択されるランダムアクセスチャネルリソース上でランダムアクセスプリアンブルを前記ネットワークノード（２０２）に送信すること（３０４Ａ）を含み、前記ランダムアクセスチャネルリソースが、前記新サービングビームを示すとともに、前記コンテンションベースランダムアクセス手順の前記理由がビーム障害回復であることを示す、請求項１に記載の方法。
【請求項１２】
前記メッセージが、前記無線デバイス（２１２）に対する前記新サービングビームを示す前記情報を含む無線リソース制御（ＲＲＣ）メッセージを含む、請求項１に記載の方法。
【請求項１３】
前記ＲＲＣメッセージが、前記コンテンションベースランダムアクセス手順の前記理由がビーム障害回復であるとの指標をさらに含む、請求項１２に記載の方法。
【請求項１４】
前記無線デバイス（２１２）の前記識別情報が、前記無線デバイス（２１２）のセル無線ネットワーク一時識別子（Ｃ−ＲＮＴＩ）であり、前記メッセージが、前記ＲＲＣメッセージと、前記無線デバイス（２１２）の前記Ｃ−ＲＮＴＩを含むＣ−ＲＮＴＩ  ＭＡＣ  ＣＥとを含む、請求項１２または１３に記載の方法。
【請求項１５】
前記ＲＲＣメッセージが、前記無線デバイス（２１２）の旧サービングビームを示す情報をさらに含む、請求項１２から１４のいずれか一項に記載の方法。
【請求項１６】
前記ＲＲＣメッセージが、１つもしくは複数の他のビーム、ビーム集合、同期信号ブロック（ＳＳＢ）、ならびに／またはＳＳＢグループの無線品質測定結果をさらに含む、請求項１２から１５のいずれか一項に記載の方法。
【請求項１７】
無線通信システム（２００）におけるビーム障害回復のための無線デバイス（７００）であって、
ビーム障害を検出することと、
前記ビーム障害の検出に際してコンテンションベースランダムアクセス手順を実行することとを行うように構成され、前記無線デバイス（７００）が、
ランダムアクセスプリアンブルを前記ネットワークノード（２０２）に送信すること（３０４Ａ）と、
前記ネットワークノード（２０２）からランダムアクセス応答を受信すること（３０４Ｂ）と、
前記無線デバイス（７００）の識別情報と前記無線デバイス（７００）に対する新サービングビームを示す情報とを含むメッセージを前記ネットワークノード（２０２）に送信すること（３０４Ｃ）とを行うように構成されることで前記コンテンションベースランダムアクセス手順を実行するように構成され、
前記メッセージが、前記コンテンションベースランダムアクセス手順の理由がビーム障害回復であるとの暗示的な指標を提供し、
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（７００）に対する前記新サービングビームを示す前記情報の伝達に用いられる、無線デバイス（７００）。
【請求項１８】
請求項１から１６のいずれか一項に記載の方法を実行するようにさらに構成された、請求項１７に記載の無線デバイス（７０）。
【請求項１９】
無線通信システム（２００）におけるビーム障害回復のための無線デバイス（７００）であって、
１つもしくは複数の送信機（７０８）ならびに１つもしくは複数の受信機（７１０）と、
前記１つもしくは複数の送信機（７０８）ならびに前記１つもしくは複数の受信機（７１０）と関連付けられた処理回路（７０２）とを備え、前記処理回路（７０２）が、
ビーム障害を検出することと、
前記ビーム障害の検出に際してコンテンションベースランダムアクセス手順を実行することとを前記無線デバイス（７００）に行わせるように設定され、前記処理回路が、
ランダムアクセスプリアンブルをネットワークノード（２０２）に送信すること（３０４Ａ）と、
前記ネットワークノード（２０２）からランダムアクセス応答を受信すること（３０４Ｂ）と、
前記無線デバイス（７００）の識別情報と前記無線デバイス（７００）に対する新サービングビームを示す情報とを含むメッセージを前記ネットワークノード（２０２）に送信すること（３０４Ｃ）とを前記無線デバイスに行わせるように設定されることで前記コンテンションベースランダムアクセス手順を前記無線デバイスに行わせるように設定され、
前記メッセージが、前記コンテンションベースランダムアクセス手順の理由がビーム障害回復であるとの暗示的な指標を提供し、
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（７００）に対する前記新サービングビームを示す前記情報の伝達に用いられる、無線デバイス（７００）。
【請求項２０】
前記処理回路（７０２）が、請求項１から１６のいずれか一項に記載の方法を前記無線デバイス（７００）に実行させるようにさらに設定された、請求項１９に記載の無線デバイス（７００）。
【請求項２１】
無線通信システム（２００）におけるビーム障害回復のために基地局（２０２）により実行される方法であって、
無線デバイス（２１２）とともに、コンテンションベースランダムアクセス手順を実行することを含み、前記コンテンションベースランダムアクセス手順を実行することが、
前記無線デバイス（２１２）からランダムアクセスプリアンブルを受信すること（３０４Ａ）と、
ランダムアクセス応答を前記無線デバイス（２１２）に送信すること（３０４Ｂ）と、
前記無線デバイス（２１２）の識別情報と前記無線デバイス（２１２）に対する新サービングビームを示す情報とを含むメッセージを前記無線デバイス（２１２）から受信すること（３０４Ｃ）を含み、
前記メッセージが、前記コンテンションベースランダムアクセス手順の理由がビーム障害回復であるとの暗示的な指標を提供し、
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（２１２）に対する前記新サービングビームを示す前記情報の伝達に用いられる、方法。
【請求項２２】
前記無線デバイス（２１２）に対する前記新サービングビームを示す前記情報が、
前記新サービングビームを示すインデックス、
前記新サービングビームと関連付けられた同期信号ブロック（ＳＳＢ）もしくはＳＳＢグループインデックス、
前記新サービングビームと関連付けられたチャネル状態情報参照シンボル（ＣＳＩ−ＲＳ）設定インデックス、ならびに／または
前記新サービングビームと関連付けられた伝送設定インジケータ（ＴＣＩ）状態インデックス、
を含む、請求項２１に記載の方法。
【請求項２３】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩを含むＣ−ＲＮＴＩ  ＭＡＣ  ＣＥを含む、請求項２１または２２に記載の方法。
【請求項２４】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩと前記無線デバイス（２１２）に対する前記新サービングビームを示す前記情報とを含む拡張Ｃ−ＲＮＴＩ  ＭＡＣ  ＣＥを含む、請求項２１または２２に記載の方法。
【請求項２５】
前記メッセージが、前記コンテンションベースランダムアクセス手順の前記理由がビーム障害回復であることを示す情報をさらに含む、請求項２１から２４のいずれか一項に記載の方法。
【請求項２６】
前記メッセージが、前記無線デバイス（２１２）の旧サービングビームを示す情報をさらに含む、請求項２１から２５のいずれか一項に記載の方法。
【請求項２７】
前記メッセージが、
１つもしくは複数の他のビーム、
１つもしくは複数の他のビーム集合、
１つもしくは複数の他のＳＳＢ、ならびに／または
１つもしくは複数の他のＳＳＢグループ、
の無線品質測定結果をさらに含む、請求項２１から２６のいずれか一項に記載の方法。
【請求項２８】
前記無線デバイス（２１２）の前記識別情報が、前記無線デバイス（２１２）のセル無線ネットワーク一時識別子（Ｃ−ＲＮＴＩ）であり、前記メッセージが、前記無線デバイス（２１２）の前記Ｃ−ＲＮＴＩを含むＣ−ＲＮＴＩ  ＭＡＣ  ＣＥを含む、請求項２１に記載の方法。
【請求項２９】
前記コンテンションベースランダムアクセス手順の前記理由がビーム障害回復であるとの前記暗示的な指標が、無線リソース制御（ＲＲＣ）接続再確立のためのＣ−ＲＮＴＩ  ＭＡＣ  ＣＥに含まれる論理チャネル識別子（ＩＤ）とは異なる論理チャネルＩＤを含む、請求項２８に記載の方法。
【請求項３０】
前記無線デバイス（２１２）から前記ランダムアクセスプリアンブを受信すること（３０４Ａ）が、ビーム障害回復のための予約プリアンブルグループから選択されるランダムアクセスプリアンブルを前記無線デバイス（２１２）から受信すること（３０４Ａ）であり、前記ランダムアクセスプリアンブルが、前記新サービングビームを示すとともに、前記コンテンションベースランダムアクセス手順の前記理由がビーム障害回復であることを示す、ランダムアクセスプリアンブルを前記無線デバイス（２１２）から受信すること（３０４Ａ）を含む、請求項２１に記載の方法。
【請求項３１】
前記無線デバイス（２１２）から前記ランダムアクセスプリアンブを受信すること（３０４Ａ）が、ビーム障害回復のための予約リソースグループから選択されるランダムアクセスチャネルリソース上でランダムアクセスプリアンブルを前記無線デバイス（２１２）から受信すること（３０４Ａ）であり、前記ランダムアクセスチャネルリソースが、前記新サービングビームを示すとともに、前記コンテンションベースランダムアクセス手順の前記理由がビーム障害回復であることを示す、ランダムアクセスプリアンブルを前記無線デバイス（２１２）から受信すること（３０４Ａ）を含む、請求項２１に記載の方法。
【請求項３２】
前記メッセージが、前記無線デバイス（２１２）に対する前記新サービングビームを示す前記情報を含む無線リソース制御（ＲＲＣ）メッセージを含む、請求項２１に記載の方法。
【請求項３３】
前記ＲＲＣメッセージが、前記コンテンションベースランダムアクセス手順の前記理由がビーム障害回復であるとの指標をさらに含む、請求項３２に記載の方法。
【請求項３４】
前記無線デバイス（２１２）の前記識別情報が、前記無線デバイス（２１２）のセル無線ネットワーク一時識別子（Ｃ−ＲＮＴＩ）であり、前記メッセージが、前記ＲＲＣメッセージと、前記無線デバイス（２１２）の前記Ｃ−ＲＮＴＩを含むＣ−ＲＮＴＩ  ＭＡＣ  ＣＥとを含む、請求項３２または３３に記載の方法。
【請求項３５】
前記ＲＲＣメッセージが、前記無線デバイス（２１２）の旧サービングビームを示す情報をさらに含む、請求項３２に記載の方法。
【請求項３６】
前記ＲＲＣメッセージが、１つもしくは複数の他のビーム、ビーム集合、同期信号ブロック（ＳＳＢ）、ならびに／またはＳＳＢグループの無線品質測定結果をさらに含む、請求項３２から３５のいずれか一項に記載の方法。
【請求項３７】
前記暗示的な指標に基づいて、前記コンテンションベースランダムアクセス手順がビーム障害回復のために実行されているものと判定することと、
前記コンテンションベースランダムアクセス手順がビーム障害回復のために実行されているとの判定に際して、ＲＲＣ接続再確立手順の開始を控えることと、
をさらに含む、請求項２１から３６のいずれか一項に記載の方法。
【請求項３８】
無線通信システム（２００）におけるビーム障害回復のための基地局（４００）であって、
無線デバイス（２１２）とともに、コンテンションベースランダムアクセス手順を実行するように構成され、前記基地局（４００）が、
前記無線デバイス（２１２）からランダムアクセスプリアンブルを受信すること（３０４Ａ）と、
ランダムアクセス応答を前記無線デバイス（２１２）に送信すること（３０４Ｂ）と、
前記無線デバイス（２１２）の識別情報と前記無線デバイス（２１２）に対する新サービングビームを示す情報とを含むメッセージを前記無線デバイス（２１２）から受信すること（３０４Ｃ）とを行うように構成されることで前記コンテンションベースランダムアクセス手順を実行するように構成され、
前記メッセージが、前記コンテンションベースランダムアクセス手順の理由がビーム障害回復であるとの暗示的な指標を提供し、
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（２１２）に対する前記新サービングビームを示す前記情報の伝達に用いられる、基地局（４００）。
【請求項３９】
請求項２１から３７のいずれか一項に記載の方法を実行するようにさらに構成された、請求項３８に記載の基地局（４００）。
【請求項４０】
無線通信システム（２００）におけるビーム障害回復のための基地局（４００）であって、
無線デバイス（２１２）とともに、コンテンションベースランダムアクセス手順を前記基地局（４００）に実行させるように設定された処理回路（４０４、５０４）とを備え、
前記処理回路（４０４、５０４）が、
前記無線デバイス（２１２）からランダムアクセスプリアンブルを受信すること（３０４Ａ）と、
ランダムアクセス応答を前記無線デバイス（２１２）に送信すること（３０４Ｂ）と、
前記無線デバイス（２１２）の識別情報と前記無線デバイス（２１２）に対する新サービングビームを示す情報とを含むメッセージを前記無線デバイス（２１２）から受信すること（３０４Ｃ）とを前記基地局（４００）に実行させるように設定されることで前記コンテンションベースランダムアクセス手順を前記基地局（４００）に実行させるように設定され、
前記メッセージが、前記コンテンションベースランダムアクセス手順の理由がビーム障害回復であるとの暗示的な指標を提供し、
前記メッセージが、既存の媒体アクセス制御（ＭＡＣ）制御エレメント（ＣＥ）を含み、前記既存のＭＡＣ  ＣＥにおける１つまたは複数の未使用ビットが、前記無線デバイス（２１２）に対する前記新サービングビームを示す前記情報の伝達に用いられる、基地局（４００）。
【請求項４１】
前記処理回路（４０４、５０４）が、請求項２１から３７のいずれか一項に記載の方法を前記基地局（４００）に実行させるようにさらに設定された、請求項４０に記載の基地局（４００）。
【国際調査報告】
2021511710.tif 000011
2021511710.tif 000012
2021511710.tif 000013
2021511710.tif 000014